(57)【要約】【課題】ネットワーク側の相手機と通信する際により電力消費を低減させ、省電力モード時に電子機器のメイン部分の電源を完全にオフにすることができるようにする。【解決手段】省電力モード時ハンドシェーク手段１１は電子機器１０の省電力モード時にＴＣＰ３ウェイハンドシェークを開始し、通常モード復帰開始手段１２はハンドシェークの完了前に通常モードへの復帰を開始する。ハンドシェークが完了したらウィンドウサイズゼロ通知手段１３がウィンドウサイズのゼロを相手に通知してデータの送信を待機させる。【選択図】図１
2011164893.tif 000002
【特許請求の範囲】
【請求項１】
自装置の待機時の電力消費を節減する省電力モード時に外部ネットワークと接続してネットワーク側の相手機から「ＳＹＮ（Synchronize）」フラグが送られてきたときこれに伴うＴＣＰ（Transmission Control Protocol）コネクションを確立するためのＴＣＰ３ウェイハンドシェークを行う省電力モード時ハンドシェーク手段と、
この省電力モード時ハンドシェーク手段によるＴＣＰ３ウェイハンドシェークが完了する前の段階で装置全体を省電力モード以外のモードとしての通常モードに復帰させる処理を開始させる通常モード復帰開始手段と、
この通常モード復帰開始手段によって前記装置全体が通常モードに復帰する前に前記省電力モード時ハンドシェーク手段によるＴＣＰ３ウェイハンドシェークが完了したら前記相手機に対してデータの受信のためのウィンドウサイズがゼロであることを通知するウィンドウサイズゼロ通知手段と、
このウィンドウサイズゼロ通知手段がウィンドウサイズのゼロを通知した後、前記装置全体が通常モードに復帰したら前記相手機に対してウィンドウサイズをゼロ以外の値に変更して通知し前記相手機からのデータの受信を可能にするウィンドウサイズゼロ以外通知手段
とを具備することを特徴とする電子機器。
【請求項２】
前記省電力モード時に電源の供給がオフとなっている回路部分の電源をオンにする制御を行う特定回路部分電源起動手段と、この特定回路部分電源起動手段に起動のための電力を供給する電力供給線とを備え、前記通常モード復帰開始手段は通常モードへの復帰開始時に前記電力供給線に電力を供給することを特徴とする請求項１記載の電子機器。
【請求項３】
自装置の待機時の電力消費を節減する省電力モード時に通電され省電力モードからそれ以外のモードとしての通常モードに復帰する契機となる要復帰通知を電気的に受信する要復帰通知受信手段と、この要復帰通知受信手段が要復帰通知を受信したとき特定の機器に電力を供給する電力供給手段とを備えた監視部と、
この監視部を除いた装置部分から構成され、前記電力供給手段から電力の供給を受ける電力受信手段と、この電力受信手段の受信した電力を用いて前記監視部を除いた装置部分を通常モードに復帰する処理を行う通常モード復帰手段とを備えた装置メイン部
とから構成されることを特徴とする電子機器。
【請求項４】
前記装置メイン部は、省電力モードから通常モードに復帰した時点で前記監視部の電源をオフにし、省電力モードに移行するとき前記監視部の電源をオンにする監視部電源制御手段を具備することを特徴とする請求項３記載の電子機器。
【請求項５】
自装置の待機時の電力消費を節減する省電力モード時に外部ネットワークと接続してネットワーク側の相手機から自装置に接続された付属装置に対して「ＳＹＮ（Synchronize）」フラグが送られてきたときこれに伴うＴＣＰ（Transmission Control Protocol）コネクションを確立するためのＴＣＰ３ウェイハンドシェークをこの付属装置に代行して行う省電力モード時ハンドシェーク手段と、
この省電力モード時ハンドシェーク手段によるＴＣＰ３ウェイハンドシェークが完了する前の段階で自装置および前記付属装置全体を省電力モード以外のモードとしての通常モードに復帰させる処理を開始させる通常モード復帰開始手段と、
この通常モード復帰開始手段によって前記自装置および前記付属装置全体が通常モードに復帰する前に前記省電力モード時ハンドシェーク手段によるＴＣＰ３ウェイハンドシェークが完了したら前記相手機に対してデータの受信のためのウィンドウサイズがゼロであることを通知するウィンドウサイズゼロ通知手段と、
このウィンドウサイズゼロ通知手段がウィンドウサイズのゼロを通知した後、前記自装置および前記付属装置全体が通常モードに復帰したら前記相手機に対してウィンドウサイズをゼロ以外の値に変更して通知し前記相手機からのデータの受信を可能にするウィンドウサイズゼロ以外通知手段
とを具備することを特徴とする電子機器システム。
【請求項６】
電子機器の待機時の電力消費を節減する省電力モード時にこの電子機器と接続したネットワーク側の相手機から「ＳＹＮ（Synchronize）」フラグが送られてきたときこれに伴うＴＣＰ（Transmission Control Protocol）コネクションを確立するためのＴＣＰ３ウェイハンドシェークを行う省電力モード時ハンドシェークステップと、
この省電力モード時ハンドシェークステップによるＴＣＰ３ウェイハンドシェークが完了する前の段階で前記電子機器全体を省電力モード以外のモードとしての通常モードに復帰させる処理を開始させる通常モード復帰開始ステップと、
この通常モード復帰開始ステップによって前記電子機器全体が通常モードに復帰する前に前記省電力モード時ハンドシェークステップによるＴＣＰ３ウェイハンドシェークが完了したら前記相手機に対してデータの受信のためのウィンドウサイズがゼロであることを通知するウィンドウサイズゼロ通知ステップと、
このウィンドウサイズゼロ通知ステップでウィンドウサイズがゼロであることを通知した後、前記電子機器全体が通常モードに復帰したら前記相手機に対してウィンドウサイズをゼロ以外の値に変更して通知し前記相手機からのデータの受信を可能にするウィンドウサイズゼロ以外通知ステップ
とを具備することを特徴とする電子機器の省電力方法。
【請求項７】
電子機器の待機時の電力消費を節減する省電力モード時にこの電子機器と接続したネットワーク側の相手機からこの電子機器に接続された付属装置に対して「ＳＹＮ（Synchronize）」フラグが送られてきたときこれに伴うＴＣＰ（Transmission Control Protocol）コネクションを確立するためのＴＣＰ３ウェイハンドシェークをこの付属装置に代行して行う省電力モード時ハンドシェークステップと、
この省電力モード時ハンドシェークステップによるＴＣＰ３ウェイハンドシェークが完了する前の段階で前記電子機器および前記付属装置全体を省電力モード以外のモードとしての通常モードに復帰させる処理を開始させる通常モード復帰開始ステップと、
この通常モード復帰開始ステップによって前記電子機器および前記付属装置全体が通常モードに復帰する前に前記省電力モード時ハンドシェークステップによるＴＣＰ３ウェイハンドシェークが完了したら前記相手機に対してデータの受信のためのウィンドウサイズがゼロであることを通知するウィンドウサイズゼロ通知ステップと、
このウィンドウサイズゼロ通知ステップでウィンドウサイズがゼロであることを通知した後、前記電子機器および前記付属装置全体が通常モードに復帰したら前記相手機に対してウィンドウサイズをゼロ以外の値に変更して通知し前記相手機からのデータの受信を可能にするウィンドウサイズゼロ以外通知ステップ
とを具備することを特徴とする電子機器システムの省電力方法。
【請求項８】
コンピュータに、
電子機器の待機時の電力消費を節減する省電力モード時にこの電子機器と接続したネットワーク側の相手機から「ＳＹＮ（Synchronize）」フラグが送られてきたときこれに伴うＴＣＰ（Transmission Control Protocol）コネクションを確立するためのＴＣＰ３ウェイハンドシェークを行う省電力モード時ハンドシェーク処理と、
この省電力モード時ハンドシェーク処理によるＴＣＰ３ウェイハンドシェークが完了する前の段階で前記電子機器全体を省電力モード以外のモードとしての通常モードに復帰させる処理を開始させる通常モード復帰開始処理と、
この通常モード復帰開始処理によって前記電子機器全体が通常モードに復帰する前に前記省電力モード時ハンドシェーク処理によるＴＣＰ３ウェイハンドシェークが完了したら前記相手機に対してデータの受信のためのウィンドウサイズがゼロであることを通知するウィンドウサイズゼロ通知処理と、
このウィンドウサイズゼロ通知処理でウィンドウサイズがゼロであることを通知した後、前記電子機器全体が通常モードに復帰したら前記相手機に対してウィンドウサイズをゼロ以外の値に変更して通知し前記相手機からのデータの受信を可能にするウィンドウサイズゼロ以外通知処理
とを実行させることを特徴とする電子機器の省電力プログラム。
【請求項９】
コンピュータに、
電子機器の待機時の電力消費を節減する省電力モード時にこの電子機器と接続したネットワーク側の相手機からこの電子機器に接続された付属装置に対して「ＳＹＮ（Synchronize）」フラグが送られてきたときこれに伴うＴＣＰ（Transmission Control Protocol）コネクションを確立するためのＴＣＰ３ウェイハンドシェークをこの付属装置に代行して行う省電力モード時ハンドシェーク処理と、
この省電力モード時ハンドシェーク処理によるＴＣＰ３ウェイハンドシェークが完了する前の段階で前記電子機器および前記付属装置全体を省電力モード以外のモードとしての通常モードに復帰させる処理を開始させる通常モード復帰開始処理と、
この通常モード復帰開始処理によって前記電子機器および前記付属装置全体が通常モードに復帰する前に前記省電力モード時ハンドシェーク処理によるＴＣＰ３ウェイハンドシェークが完了したら前記相手機に対してデータの受信のためのウィンドウサイズがゼロであることを通知するウィンドウサイズゼロ通知処理と、
このウィンドウサイズゼロ通知処理でウィンドウサイズがゼロであることを通知した後、前記電子機器および前記付属装置全体が通常モードに復帰したら前記相手機に対してウィンドウサイズをゼロ以外の値に変更して通知し前記相手機からのデータの受信を可能にするウィンドウサイズゼロ以外通知処理
とを実行させることを特徴とする電子機器システムの省電力プログラム。
【発明の詳細な説明】
【技術分野】
【０００１】
本発明は、電子機器、電子機器システム、電子機器および電子機器システムの省電力方法およびこれらの省電力プログラムに係わり、特に電力消費の低減に配慮したネットワーク接続機器等の電子機器、電子機器システム、電子機器および電子機器システムの省電力方法およびこれらの省電力プログラムに関する。
【背景技術】
【０００２】
ネットワークに接続した各種のネットワーク接続機器の電力消費を低減する提案が各種行われている。一般にネットワーク接続機器はネットワーク側の相手機から与えられた処理を完了すると、所定の時点で一般にエコモードと呼ばれる省電力モードに移行する。ネットワーク接続機器が省電力モードになると、通常の電力消費状態としての通常モードに復帰する指示を外部から受ける部分（ネットワーク監視部分）を除いてその他の大部分（機器のメイン部分）の電力消費を低下させることが通常である。
【０００３】
省電力モードに移行したネットワーク接続機器は、相手機側の要求によって省電力モードから通常モードに復帰する。この際、ネットワークを介しての相手機側からの要求は、省電力モードの状態でネットワークからの情報の到来を監視するネットワーク監視部分が受け取ることになる。本発明の第１の関連技術によれば、ネットワーク監視部分は相手機側と通信し、ＴＣＰ３ウェイハンドシェークの処理に移行した初期段階でネットワーク接続機器のメイン部分に対して起動指示を行う（たとえば特許文献１参照）。
【０００４】
ここでＴＣＰ３ウェイハンドシェークとは、ＴＣＰ（Transmission Control Protocol）で通信を行う際のコネクションの開始方法をいう。具体的には、まず、ネットワーク接続機器と通信しようとする相手機側から「ＳＹＮ（synchronize）」パケットを送出する。次に、「ＳＹＮ」パケットを受信したネットワーク接続機器が「ＡＣＫ（acknowledge）＋ＳＹＮ」パケットを返送する。最後に、相手機側が「ＡＣＫ＋ＳＹＮ」パケットの受信に対して「ＡＣＫ」パケットを返送する。これにより相手機側とネットワーク接続機器のコネクションが成立する。
【先行技術文献】
【特許文献】
【０００５】
【特許文献１】特開２００７−１８３７９７号公報（第００９３段落、第００９４段落、図１３）
【発明の概要】
【発明が解決しようとする課題】
【０００６】
本発明の第１の関連技術では、ＴＣＰ３ウェイハンドシェークの初期段階でネットワーク接続機器のメイン部分を起動する処理を開始する。これにより、ネットワーク機器が通常モードに復帰するまでの時間を短縮している。
【０００７】
ところが、この第１の関連技術では、ＴＣＰ３ウェイハンドシェークが完了した時点でネットワーク接続機器のメイン部分が通常モードに復帰していないような場合、相手機側とネットワーク接続機器との通信が一時的に中断してしまう。この結果、相手機側でネットワークシーケンスにおけるタイムアウトが発生すると、通信を継続することができない。
【０００８】
更に、本発明の第１の関連技術では、ネットワーク接続機器をネットワーク監視部分と機器のメイン部分に区分けしたとき、省電力モードに突入した状態で機器のメイン部分の電源を完全にオフにすることができなかった。これは、ネットワーク監視部分がいわば寝ずの番をして外部からの要求を検出したとき、機器のメイン部分が完全に寝込んでいては省電力モードから通常モードへの復帰を知らせることができないからである。
【０００９】
このため、本発明の第２の関連技術として、ネットワーク機器のメイン部分もネットワーク監視部分に対応する部分には通電されており、ネットワーク監視部分が通常モードへの復帰を通知してきたとき、この通知を受信できるようにすることが行われている。この結果、省電力モード時にネットワーク機器のメイン部分の電力消費を完全にオフにすることができないという問題もあった。
【００１０】
以上、ネットワーク接続機器に関して説明したが、特に第２の関連技術との関係で生じる問題は、ネットワークとの接続に必ずしも関係しない一般の電子機器についても生じる。
【００１１】
そこで本発明の目的は、ネットワーク側の相手機と通信する際により電力消費を低減することのできる電子機器、電子機器システム、電子機器および電子機器システムの省電力方法およびこれらの省電力プログラムを得ることにある。
【００１２】
本発明の他の目的は、省電力モードから通常モードに復帰する通知を受ける監視部分とそれ以外の装置部分としてのメイン部分に装置を区分けしたとき、省電力モード時にメイン部分の電源を完全にオフにできる電子機器を得ることにある。
【課題を解決するための手段】
【００１３】
本発明では、（イ）自装置の待機時の電力消費を節減する省電力モード時に外部ネットワークと接続してネットワーク側の相手機から「ＳＹＮ（Synchronize）」フラグが送られてきたときこれに伴うＴＣＰ（Transmission Control Protocol）コネクションを確立するためのＴＣＰ３ウェイハンドシェークを行う省電力モード時ハンドシェーク手段と、（ロ）この省電力モード時ハンドシェーク手段によるＴＣＰ３ウェイハンドシェークが完了する前の段階で装置全体を省電力モード以外のモードとしての通常モードに復帰させる処理を開始させる通常モード復帰開始手段と、（ハ）この通常モード復帰開始手段によって前記した装置全体が通常モードに復帰する前に前記した省電力モード時ハンドシェーク手段によるＴＣＰ３ウェイハンドシェークが完了したら前記した相手機に対してデータの受信のためのウィンドウサイズがゼロであることを通知するウィンドウサイズゼロ通知手段と、（ニ）このウィンドウサイズゼロ通知手段がウィンドウサイズのゼロを通知した後、前記した装置全体が通常モードに復帰したら前記した相手機に対してウィンドウサイズをゼロ以外の値に変更して通知し前記した相手機からのデータの受信を可能にするウィンドウサイズゼロ以外通知手段とを電子機器が具備する。
【００１４】
また、本発明では、（イ）自装置の待機時の電力消費を節減する省電力モード時に通電され省電力モードからそれ以外のモードとしての通常モードに復帰する契機となる要復帰通知を電気的に受信する要復帰通知受信手段と、この要復帰通知受信手段が要復帰通知を受信したとき特定の機器に電力を供給する電力供給手段とを備えた監視部と、（ロ）この監視部を除いた装置部分から構成され、前記した電力供給手段から電力の供給を受ける電力受信手段と、この電力受信手段の受信した電力を用いて前記した監視部を除いた装置部分を通常モードに復帰する処理を行う通常モード復帰手段とを備えた装置メイン部とで電子機器を構成する。
【００１５】
更に本発明では、（イ）自装置の待機時の電力消費を節減する省電力モード時に外部ネットワークと接続してネットワーク側の相手機から自装置に接続された付属装置に対して「ＳＹＮ（Synchronize）」フラグが送られてきたときこれに伴うＴＣＰ（Transmission Control Protocol）コネクションを確立するためのＴＣＰ３ウェイハンドシェークをこの付属装置に代行して行う省電力モード時ハンドシェーク手段と、（ロ）この省電力モード時ハンドシェーク手段によるＴＣＰ３ウェイハンドシェークが完了する前の段階で自装置および前記した付属装置全体を省電力モード以外のモードとしての通常モードに復帰させる処理を開始させる通常モード復帰開始手段と、（ハ）この通常モード復帰開始手段によって前記した自装置および前記した付属装置全体が通常モードに復帰する前に前記した省電力モード時ハンドシェーク手段によるＴＣＰ３ウェイハンドシェークが完了したら前記した相手機に対してデータの受信のためのウィンドウサイズがゼロであることを通知するウィンドウサイズゼロ通知手段と、（ニ）このウィンドウサイズゼロ通知手段がウィンドウサイズのゼロを通知した後、前記した自装置および前記した付属装置全体が通常モードに復帰したら前記した相手機に対してウィンドウサイズをゼロ以外の値に変更して通知し前記した相手機からのデータの受信を可能にするウィンドウサイズゼロ以外通知手段とを電子機器システムが具備する。
【００１６】
更にまた本発明では、（イ）電子機器の待機時の電力消費を節減する省電力モード時にこの電子機器と接続したネットワーク側の相手機から「ＳＹＮ（Synchronize）」フラグが送られてきたときこれに伴うＴＣＰ（Transmission Control Protocol）コネクションを確立するためのＴＣＰ３ウェイハンドシェークを行う省電力モード時ハンドシェークステップと、（ロ）この省電力モード時ハンドシェークステップによるＴＣＰ３ウェイハンドシェークが完了する前の段階で前記した電子機器全体を省電力モード以外のモードとしての通常モードに復帰させる処理を開始させる通常モード復帰開始ステップと、（ハ）この通常モード復帰開始ステップによって前記した電子機器全体が通常モードに復帰する前に前記した省電力モード時ハンドシェークステップによるＴＣＰ３ウェイハンドシェークが完了したら前記した相手機に対してデータの受信のためのウィンドウサイズがゼロであることを通知するウィンドウサイズゼロ通知ステップと、（ニ）このウィンドウサイズゼロ通知ステップでウィンドウサイズがゼロであることを通知した後、前記した電子機器全体が通常モードに復帰したら前記した相手機に対してウィンドウサイズをゼロ以外の値に変更して通知し前記した相手機からのデータの受信を可能にするウィンドウサイズゼロ以外通知ステップとを電子機器の省電力方法が具備する。
【００１７】
また、本発明では、（イ）電子機器の待機時の電力消費を節減する省電力モード時にこの電子機器と接続したネットワーク側の相手機からこの電子機器に接続された付属装置に対して「ＳＹＮ（Synchronize）」フラグが送られてきたときこれに伴うＴＣＰ（Transmission Control Protocol）コネクションを確立するためのＴＣＰ３ウェイハンドシェークをこの付属装置に代行して行う省電力モード時ハンドシェークステップと、（ロ）この省電力モード時ハンドシェークステップによるＴＣＰ３ウェイハンドシェークが完了する前の段階で前記した電子機器および前記した付属装置全体を省電力モード以外のモードとしての通常モードに復帰させる処理を開始させる通常モード復帰開始ステップと、（ハ）この通常モード復帰開始ステップによって前記した電子機器および前記した付属装置全体が通常モードに復帰する前に前記した省電力モード時ハンドシェークステップによるＴＣＰ３ウェイハンドシェークが完了したら前記した相手機に対してデータの受信のためのウィンドウサイズがゼロであることを通知するウィンドウサイズゼロ通知ステップと、（ニ）このウィンドウサイズゼロ通知ステップでウィンドウサイズがゼロであることを通知した後、前記した電子機器および前記した付属装置全体が通常モードに復帰したら前記した相手機に対してウィンドウサイズをゼロ以外の値に変更して通知し前記した相手機からのデータの受信を可能にするウィンドウサイズゼロ以外通知ステップとを電子機器システムの省電力方法が具備する。
【００１８】
更に本発明では、コンピュータに、電子機器の省電力プログラムとして、（イ）電子機器の待機時の電力消費を節減する省電力モード時にこの電子機器と接続したネットワーク側の相手機から「ＳＹＮ（Synchronize）」フラグが送られてきたときこれに伴うＴＣＰ（Transmission Control Protocol）コネクションを確立するためのＴＣＰ３ウェイハンドシェークを行う省電力モード時ハンドシェーク処理と、（ロ）この省電力モード時ハンドシェーク処理によるＴＣＰ３ウェイハンドシェークが完了する前の段階で前記した電子機器全体を省電力モード以外のモードとしての通常モードに復帰させる処理を開始させる通常モード復帰開始処理と、（ハ）この通常モード復帰開始処理によって前記した電子機器全体が通常モードに復帰する前に前記した省電力モード時ハンドシェーク処理によるＴＣＰ３ウェイハンドシェークが完了したら前記した相手機に対してデータの受信のためのウィンドウサイズがゼロであることを通知するウィンドウサイズゼロ通知処理と、（ニ）このウィンドウサイズゼロ通知処理でウィンドウサイズがゼロであることを通知した後、前記した電子機器全体が通常モードに復帰したら前記した相手機に対してウィンドウサイズをゼロ以外の値に変更して通知し前記した相手機からのデータの受信を可能にするウィンドウサイズゼロ以外通知処理とを実行させることを特徴としている。
【００１９】
更にまた本発明では、コンピュータに、電子機器システムの省電力プログラムとして、（イ）電子機器の待機時の電力消費を節減する省電力モード時にこの電子機器と接続したネットワーク側の相手機からこの電子機器に接続された付属装置に対して「ＳＹＮ（Synchronize）」フラグが送られてきたときこれに伴うＴＣＰ（Transmission Control Protocol）コネクションを確立するためのＴＣＰ３ウェイハンドシェークをこの付属装置に代行して行う省電力モード時ハンドシェーク処理と、（ロ）この省電力モード時ハンドシェーク処理によるＴＣＰ３ウェイハンドシェークが完了する前の段階で前記した電子機器および前記した付属装置全体を省電力モード以外のモードとしての通常モードに復帰させる処理を開始させる通常モード復帰開始処理と、（ハ）この通常モード復帰開始処理によって前記した電子機器および前記した付属装置全体が通常モードに復帰する前に前記した省電力モード時ハンドシェーク処理によるＴＣＰ３ウェイハンドシェークが完了したら前記した相手機に対してデータの受信のためのウィンドウサイズがゼロであることを通知するウィンドウサイズゼロ通知処理と、（ニ）このウィンドウサイズゼロ通知処理でウィンドウサイズがゼロであることを通知した後、前記した電子機器および前記した付属装置全体が通常モードに復帰したら前記した相手機に対してウィンドウサイズをゼロ以外の値に変更して通知し前記した相手機からのデータの受信を可能にするウィンドウサイズゼロ以外通知処理とを実行させることを特徴としている。
【発明の効果】
【００２０】
以上説明したように本発明によれば、省電力モード時にネットワーク側の相手機がＴＣＰ３ウェイハンドシェークを開始してきたら、ＴＣＰ３ウェイハンドシェークが完了する前の段階で通常モードへの復帰のための処理を開始することにした。これにより、ＴＣＰ３ウェイハンドシェークを完了してから復帰の処理を開始するよりも通常モードへ復帰するまでの時間を早めることができる。また、ＴＣＰ３ウェイハンドシェークを完了した時点でも通常モードに復帰していなかった場合には、通信の相手機に対してデータの受信のためのウィンドウサイズがゼロであることを通知することにした。これにより、データの受信の枠が一時的にないと相手機が判別するので、タイムアウトによって通信が切断されるおそれがない。
【００２１】
また、本発明によれば、省電力モード時から通常モードへ復帰するとき、電源がオフとなっている装置メイン部に対して電力を送って通常モードへの復帰のための処理が行えるようにした。これにより、装置メイン部は省電力モード時に通電を行う必要がなく、この分だけ省電力モード時における電子機器全体の電力消費を低減することができる。
【図面の簡単な説明】
【００２２】
【図１】本発明の電子機器のクレーム対応図である。
【図２】本発明の他の電子機器のクレーム対応図である。
【図３】本発明の電子機器システムのクレーム対応図である。
【図４】本発明の電子機器の省電力方法のクレーム対応図である。
【図５】本発明の電子機器システムの省電力方法のクレーム対応図である。
【図６】本発明の電子機器の省電力プログラムのクレーム対応図である。
【図７】本発明の電子機器システムの省電力プログラムのクレーム対応図である。
【図８】本発明の第１の実施の形態による通信システムの概要を表わしたシステム構成図である。
【図９】図８に示した通信システムにおける受信システムの構成を表わしたブロック図である。
【図１０】第１の実施の形態の通信システムで省電力モードに突入してから再び送信システムがデータの転送を開始するまでの処理の流れを示した説明図である。
【図１１】本発明の第２の実施の形態における通信システムの概要を表わしたシステム構成図である。
【図１２】図１１における受信システムの構成を具体的に示したブロック図である。
【図１３】第２の実施の形態の通信システムで付加システムが省電力モードに遷移してから送信システムがこの付加システムに対してデータの転送を開始するまでの処理の流れを示した説明図である。
【図１４】本発明の第３の実施の形態における通信システムの概要を表わしたシステム構成図である。
【図１５】図１４における受信システムの構成を具体的に示したブロック図である。
【図１６】第３の実施の形態の通信システムで第１〜第３の付加システムが省電力モードにそれぞれ遷移してから受信システムが省電力モードに突入するまでの処理の流れの一例を表わした説明図である。
【図１７】ステップＳ６０８以降における受信システムと送信システムおよび処理の対象となる付加システムの間での処理の流れを表わした説明図である。
【発明を実施するための形態】
【００２３】
図１は、本発明の電子機器のクレーム対応図を示したものである。本発明の電子機器１０は、省電力モード時ハンドシェーク手段１１と、通常モード復帰開始手段１２と、ウィンドウサイズゼロ通知手段１３と、ウィンドウサイズゼロ以外通知手段１４を備えている。ここで、省電力モード時ハンドシェーク手段１１は、自装置の待機時の電力消費を節減する省電力モード時に外部ネットワークと接続してネットワーク側の相手機から「ＳＹＮ（Synchronize）」フラグが送られてきたときこれに伴うＴＣＰ（Transmission Control Protocol）コネクションを確立するためのＴＣＰ３ウェイハンドシェークを行う。通常モード復帰開始手段１２は、省電力モード時ハンドシェーク手段１１によるＴＣＰ３ウェイハンドシェークが完了する前の段階で装置全体を省電力モード以外のモードとしての通常モードに復帰させる処理を開始させる。ウィンドウサイズゼロ通知手段１３は、通常モード復帰開始手段１２によって前記した装置全体が通常モードに復帰する前に省電力モード時ハンドシェーク手段１１によるＴＣＰ３ウェイハンドシェークが完了したら前記した相手機に対してデータの受信のためのウィンドウサイズがゼロであることを通知する。ウィンドウサイズゼロ以外通知手段１４は、ウィンドウサイズゼロ通知手段１３がウィンドウサイズのゼロを通知した後、前記した装置全体が通常モードに復帰したら前記した相手機に対してウィンドウサイズをゼロ以外の値に変更して通知し前記した相手機からのデータの受信を可能にする。
【００２４】
図２は、本発明の他の電子機器のクレーム対応図を示したものである。本発明の他の電子機器２０は、監視部２１と、装置メイン部２２からなる。ここで、監視部２１は、要復帰通知受信手段２１ａと電力供給手段２１ｂから構成される。要復帰通知受信手段２１ａは、自装置の待機時の電力消費を節減する省電力モード時に通電され省電力モードからそれ以外のモードとしての通常モードに復帰する契機となる要復帰通知を電気的に受信する。電力供給手段２１ｂは、要復帰通知受信手段２１ａが要復帰通知を受信したとき特定の機器に電力を供給する。装置メイン部２２は、電力受信手段２２ａと、通常モード復帰手段２２ｂから構成される。電力受信手段２２ａは、監視部２１を除いた装置部分から構成され、電力供給手段２１ｂから電力の供給を受ける。通常モード復帰手段２２ｂは、電力受信手段２２ａの受信した電力を用いて監視部２１を除いた装置部分を通常モードに復帰する処理を行う。
【００２５】
図３は、本発明の電子機器システムのクレーム対応図を示したものである。本発明の電子機器システム３０は、省電力モード時ハンドシェーク手段３１と、通常モード復帰開始手段３２と、ウィンドウサイズゼロ通知手段３３と、ウィンドウサイズゼロ以外通知手段３４を備えている。ここで、省電力モード時ハンドシェーク手段３１は、自装置の待機時の電力消費を節減する省電力モード時に外部ネットワークと接続してネットワーク側の相手機から自装置に接続された付属装置に対して「ＳＹＮ（Synchronize）」フラグが送られてきたときこれに伴うＴＣＰ（Transmission Control Protocol）コネクションを確立するためのＴＣＰ３ウェイハンドシェークをこの付属装置に代行して行う。通常モード復帰開始手段３２は、省電力モード時ハンドシェーク手段３１によるＴＣＰ３ウェイハンドシェークが完了する前の段階で自装置および前記した付属装置全体を省電力モード以外のモードとしての通常モードに復帰させる処理を開始させる。ウィンドウサイズゼロ通知手段３３は、通常モード復帰開始手段３２によって前記した自装置および前記した付属装置全体が通常モードに復帰する前に省電力モード時ハンドシェーク手段３１によるＴＣＰ３ウェイハンドシェークが完了したら前記した相手機に対してデータの受信のためのウィンドウサイズがゼロであることを通知する。ウィンドウサイズゼロ以外通知手段３４は、ウィンドウサイズゼロ通知手段３３がウィンドウサイズのゼロを通知した後、前記した自装置および前記した付属装置全体が通常モードに復帰したら前記した相手機に対してウィンドウサイズをゼロ以外の値に変更して通知し前記した相手機からのデータの受信を可能にする。
【００２６】
図４は、本発明の電子機器の省電力方法のクレーム対応図を示したものである。本発明の電子機器の省電力方法４０は、省電力モード時ハンドシェークステップ４１と、通常モード復帰開始ステップ４２と、ウィンドウサイズゼロ通知ステップ４３と、ウィンドウサイズゼロ以外通知ステップ４４を備えている。ここで、省電力モード時ハンドシェークステップ４１では、電子機器の待機時の電力消費を節減する省電力モード時にこの電子機器と接続したネットワーク側の相手機から「ＳＹＮ（Synchronize）」フラグが送られてきたときこれに伴うＴＣＰ（Transmission Control Protocol）コネクションを確立するためのＴＣＰ３ウェイハンドシェークを行う。通常モード復帰開始ステップ４２では、省電力モード時ハンドシェークステップ４１によるＴＣＰ３ウェイハンドシェークが完了する前の段階で前記した電子機器全体を省電力モード以外のモードとしての通常モードに復帰させる処理を開始させる。ウィンドウサイズゼロ通知ステップ４３では、通常モード復帰開始ステップ４２によって前記した電子機器全体が通常モードに復帰する前に省電力モード時ハンドシェークステップ４１によるＴＣＰ３ウェイハンドシェークが完了したら前記した相手機に対してデータの受信のためのウィンドウサイズがゼロであることを通知する。ウィンドウサイズゼロ以外通知ステップ４４では、ウィンドウサイズゼロ通知ステップ４３でウィンドウサイズがゼロであることを通知した後、前記した電子機器全体が通常モードに復帰したら前記した相手機に対してウィンドウサイズをゼロ以外の値に変更して通知し前記した相手機からのデータの受信を可能にする。
【００２７】
図５は、本発明の電子機器システムの省電力方法のクレーム対応図を示したものである。本発明の電子機器システムの省電力方法５０は、省電力モード時ハンドシェークステップ５１と、通常モード復帰開始ステップ５２と、ウィンドウサイズゼロ通知ステップ５３と、ウィンドウサイズゼロ以外通知ステップ５４を備えている。ここで、省電力モード時ハンドシェークステップ５１では、電子機器の待機時の電力消費を節減する省電力モード時にこの電子機器と接続したネットワーク側の相手機からこの電子機器に接続された付属装置に対して「ＳＹＮ（Synchronize）」フラグが送られてきたときこれに伴うＴＣＰ（Transmission Control Protocol）コネクションを確立するためのＴＣＰ３ウェイハンドシェークをこの付属装置に代行して行う。通常モード復帰開始ステップ５２では、省電力モード時ハンドシェークステップ５１によるＴＣＰ３ウェイハンドシェークが完了する前の段階で前記した電子機器および前記した付属装置全体を省電力モード以外のモードとしての通常モードに復帰させる処理を開始させる。ウィンドウサイズゼロ通知ステップ５３では、通常モード復帰開始ステップ５２によって前記した電子機器および前記した付属装置全体が通常モードに復帰する前に省電力モード時ハンドシェークステップ５１によるＴＣＰ３ウェイハンドシェークが完了したら前記した相手機に対してデータの受信のためのウィンドウサイズがゼロであることを通知する。ウィンドウサイズゼロ以外通知ステップ５４では、ウィンドウサイズゼロ通知ステップ５３でウィンドウサイズがゼロであることを通知した後、前記した電子機器および前記した付属装置全体が通常モードに復帰したら前記した相手機に対してウィンドウサイズをゼロ以外の値に変更して通知し前記した相手機からのデータの受信を可能にする。
【００２８】
図６は、本発明の電子機器の省電力プログラムのクレーム対応図を示したものである。本発明の電子機器の省電力プログラム６０は、コンピュータに、省電力モード時ハンドシェーク処理６１と、通常モード復帰開始処理６２と、ウィンドウサイズゼロ通知処理６３と、ウィンドウサイズゼロ以外通知処理６４を実行させるようにしている。ここで、省電力モード時ハンドシェーク処理６１では、電子機器の待機時の電力消費を節減する省電力モード時にこの電子機器と接続したネットワーク側の相手機から「ＳＹＮ（Synchronize）」フラグが送られてきたときこれに伴うＴＣＰ（Transmission Control Protocol）コネクションを確立するためのＴＣＰ３ウェイハンドシェークを行う。通常モード復帰開始処理６２では、省電力モード時ハンドシェーク処理６１によるＴＣＰ３ウェイハンドシェークが完了する前の段階で前記した電子機器全体を省電力モード以外のモードとしての通常モードに復帰させる処理を開始させる。ウィンドウサイズゼロ通知処理６３では、通常モード復帰開始処理６２によって前記した電子機器全体が通常モードに復帰する前に省電力モード時ハンドシェーク処理６１によるＴＣＰ３ウェイハンドシェークが完了したら前記した相手機に対してデータの受信のためのウィンドウサイズがゼロであることを通知する。ウィンドウサイズゼロ以外通知処理６４では、ウィンドウサイズゼロ通知処理６３でウィンドウサイズがゼロであることを通知した後、前記した電子機器全体が通常モードに復帰したら前記した相手機に対してウィンドウサイズをゼロ以外の値に変更して通知し前記した相手機からのデータの受信を可能にする。
【００２９】
図７は、本発明の電子機器システムの省電力プログラムのクレーム対応図を示したものである。本発明の電子機器システムの省電力プログラム７０は、コンピュータに省電力モード時ハンドシェーク処理７１と、通常モード復帰開始処理７２と、ウィンドウサイズゼロ通知処理７３と、ウィンドウサイズゼロ以外通知処理７４を実行させるようにしている。ここで、省電力モード時ハンドシェーク処理７１では、電子機器の待機時の電力消費を節減する省電力モード時にこの電子機器と接続してネットワーク側の相手機からこの電子機器に接続された付属装置に対して「ＳＹＮ（Synchronize）」フラグが送られてきたときこれに伴うＴＣＰ（Transmission Control Protocol）コネクションを確立するためのＴＣＰ３ウェイハンドシェークをこの付属装置に代行して行う。通常モード復帰開始処理７２では、省電力モード時ハンドシェーク処理７１によるＴＣＰ３ウェイハンドシェークが完了する前の段階で前記した電子機器および前記した付属装置全体を省電力モード以外のモードとしての通常モードに復帰させる処理を開始させる。ウィンドウサイズゼロ通知処理７３では、通常モード復帰開始処理７２によって前記した電子機器および前記した付属装置全体が通常モードに復帰する前に省電力モード時ハンドシェーク処理７１によるＴＣＰ３ウェイハンドシェークが完了したら前記した相手機に対してデータの受信のためのウィンドウサイズがゼロであることを通知する。ウィンドウサイズゼロ以外通知処理７４では、ウィンドウサイズゼロ通知処理７３でウィンドウサイズがゼロであることを通知した後、前記した電子機器および前記した付属装置全体が通常モードに復帰したら前記した相手機に対してウィンドウサイズをゼロ以外の値に変更して通知し前記した相手機からのデータの受信を可能にする。
【００３０】
＜発明の第１の実施の形態＞
【００３１】
次に本発明の第１の実施の形態を説明する。
【００３２】
図８は、本発明の第１の実施の形態による通信システムの概要を表わしたものである。第１の実施の形態による通信システム１００では、送信システム１０１と受信システム１０２が、ネットワーク１０３を介して接続している。このような通信システム１００で、受信システム１０２は送信システム１０１からデータの送信が開始されるまで省電力モードの状態を保持しており、電力の消費を軽減するようになっている。ネットワーク１０３は、たとえばＬＡＮ（Local Area Network）やインターネットで構成されている。
【００３３】
ここで、送信システム１０１および受信システム１０２は、たとえばパーソナルコンピュータのようなＣＰＵ（Central Processing Unit）を備えた情報処理装置でそれぞれ構成されている。
【００３４】
図９は、図８に示した通信システムにおける受信システムの構成を表わしたものである。受信システム１０２は、図８に示した送信システム１０１の送信を監視するネットワーク監視システム１１１と、送信システム１０１との関係で所定の処理を行うメインシステム１１２を備えている。ここでは、一例として受信システム１０２が画像データを送信システム１０１から受信して、形成されたトナー像を熱定着するプリントシステムであるとする。
【００３５】
この例の場合、送信システム１０１が受信システム１０２に対して所定時間以上印字データを送信しないと、ネットワーク監視システム１１１がこの状態を検出する。ネットワーク監視システム１１１の検出結果を基にして、受信システム１０２としてのプリントシステムは省電力モードの状態となる。プリントシステムが省電力モードの状態では、メインシステム１１２内の図示しない定着装置の通電をオフにすることが可能となり、また定着温度を下げることが可能となる。また、図示しない表示部のバックライトを消灯させるように各種の節電制御を行って、プリントシステム全体の電力消費の節減を図ることになる。
【００３６】
ところで、図８に示したネットワーク１０３は、ネットワーク監視システム１１１内のネットワーク切替部１２１と接続されている。ネットワーク切替部１２１は、メインシステム１１２内のネットワーク処理部１３１がネットワーク１０３に接続するのをオン・オフ制御することができる。
【００３７】
図９ではネットワーク切替部１２１とネットワーク処理部１３１の間に、ケーブル１３２が接続されているが、このような接続形態に限るものではない。ネットワーク切替部１２１とネットワーク処理部１３１が図示しない同一の基板の内部配線によって接続する構成となっていてもよい。また、ネットワーク切替部１２１とネットワーク処理部１３１を接続する基板は１枚である必要はなく、複数が直列に接続した構成となっていてもよい。
【００３８】
ネットワーク監視システム１１１は、図８に示した送信システム１０１等の他のシステムあるいはネットワークの監視を行う。ネットワーク監視システム１１１内のネットワーク切替部１２１には、システムバス１２２を介してネットワーク簡易処理部１２３、監視側主制御部１２４および監視側電源制御部１２５が接続されている。
【００３９】
ここでシステムバス１２２は受信システム１０２の全体を対象に設けられたバスであり、ネットワーク監視システム１１１とメインシステム１１２内の各種部品を接続する。ネットワーク監視システム１１１内でシステムバス１２２と接続されたネットワーク簡易処理部１２３は、エコモードとしての省電力モード中にネットワーク１０３との間でのプロトコルの処理を行う。同じくネットワーク監視システム１１１内の監視側主制御部１２４は、ネットワーク監視システム１１１の制御を司るもので、図示しないがＣＰＵ（Central Processing Unit）と、このＣＰＵが実行する制御プログラムを格納する記憶媒体を有している。ネットワーク監視システム１１１内の監視側電源制御部１２５は、省電力モード中におけるネットワーク監視システム１１１とメインシステム１１２の電源制御の処理を行う。
【００４０】
メインシステム１１２内のネットワーク処理部１３１はシステムバス１２２とも接続されている。メインシステム１１２内でシステムバス１２２は、この他にメイン側電源制御部１３３とメイン側主制御部１３４と接続されている。メイン側電源制御部１３３は、メインシステム１１２側における電源制御を行う。メイン側主制御部１３４は、監視側主制御部１２４と同様に図示しないＣＰＵと、その実行用の制御プログラムを格納した記憶媒体を有している。ただし、メイン側主制御部１３４と監視側主制御部１２４は機能的に分離されているものの、ハードウェアとして同一の記憶媒体を共用するものであっても構わない。
【００４１】
図１０は、本実施の形態の通信システムで省電力モードに突入してから再び送信システムがデータの転送を開始するまでの処理の流れを示したものである。図８および図９と共に説明する。
【００４２】
本実施の形態の受信システム１０２では、送信システム１０１が所定時間Ｔ1以上にわたってデータの送信を行わないと、次にデータの送信のための処理が開始するまで電力消費を抑えるための省電力モード（エコモード）に突入するものとする。時刻ｔ1に送信システム１０１が受信システム１０２に対するデータの送信を終了させたとする。この時刻ｔ1から受信システム１０２のメインシステム（メイン側）１１２のメイン側主制御部１３４は省電力モードに突入するための計時動作を開始する。
【００４３】
その後も送信システム１０１が受信システム１０２に対してデータの送信のための処理を開始せず、メイン側主制御部１３４がその図示しないカウンタで前記した所定時間Ｔ1を計時したとする。この時刻ｔ2に、メイン側主制御部１３４はメインシステム状態通知としての省電力モード状態通知をネットワーク監視システム（ネットワーク監視側）１１１の監視側主制御部１２４に送出する（ステップＳ２０１）。
【００４４】
監視側主制御部１２４は、省電力モード状態通知を受信すると、システムバス１２２を用いてネットワーク切替部１２１にネットワークをネットワーク監視システム１１１側に切り替えるネットワーク切替指示を送出する（ステップＳ２０２）。ネットワーク切替部１２１は、このネットワーク切替指示を受信すると、ネットワーク１０３に対する接続をネットワーク監視システム１１１側に切り替える。
【００４５】
メイン側主制御部１３４はネットワーク切替部１２１にネットワーク切替指示を送出した後、システムバス１２２を使用してメイン側電源制御部１３３に対してメインシステム状態通知としての電源オフ指示を通知する。メイン側電源制御部１３３は電源オフ指示を受信すると、メインシステム１１２内の電源をすべてオフにする（ステップＳ２０３）。メインシステム１１２の電源がオフになった時刻を時刻ｔ3とする。時刻ｔ3以後のネットワーク１０３の監視は、メインシステム１１２に代わってネットワーク簡易処理部１２３が行うことになる。
【００４６】
このようにして時刻ｔ3以後は、省電力モードの下で受信システム１０２内のネットワーク監視システム１１１のみに電源が供給され、省電力化が図られる。
【００４７】
時刻ｔ3から所定時間Ｔ2が経過した時刻ｔ4に、送信システム１０１が受信システム１０２に対してデータの転送の許可を得るためにＳＹＮ（Synchronize）フラグを付与したパケットを送信したとする（ステップＳ２０４）。ここでＳＹＮフラグとは、ＴＣＰ（Transmission Control Protocol）コネクションの確立を要求する最初のパケットに付与されるフラグである。
【００４８】
ところでＴＣＰ通信で、たとえば送信システム１０１が受信システム１０２にデータを送信するとする。このとき、まずＳＹＮパケットが送信システム１０１から受信システム１０２に送信される。受信システム１０２では、ＳＹＮフラグにＡＣＫ（ACKnowledgement）フラグを組み込んだパケット（ＳＹＮ・ＡＣＫパケット）を送信システム１０１に返送する。するとこのＳＹＮ・ＡＣＫパケットを受信した送信システム１０１がＡＣＫパケットを受信システム１０２に送信して、送信システム１０１から受信システム１０２方向の接続が確立する。
【００４９】
時刻ｔ4に送信システム１０１が受信システム１０２に対してＳＹＮパケットを送信すると、ネットワーク監視システム１１１側のネットワーク簡易処理部１２３がこれを受信する（ステップＳ２０４）。ネットワーク簡易処理部１２３は、ＳＹＮパケットを検出すると監視側主制御部１２４に対してネットワーク監視システム状態通知としてのＳＹＮパケット検出を通知する。
【００５０】
監視側主制御部１２４は、ＳＹＮパケット検出の通知を受けると、監視側電源制御部１２５に対して、メイン側起動指示通知を送出する。監視側電源制御部１２５はこの通知を受けると、メイン側電源制御部１３３に対して、メイン側起動指示通知を送出する（ステップＳ２０５）。
【００５１】
ただし、時刻ｔ3以後はメインシステム１１２側の電源がオフになっている。このため監視側電源制御部１２５は時刻ｔ4以後の時刻ｔ5にメイン側電源制御部１３３と接続した信号線１３６に強制的に電源を供給してメイン側電源制御部１３３を起動させ、これをもってメイン側起動指示通知とする（ステップＳ２０５）。
【００５２】
このようにして時刻ｔ5以後の時刻ｔ6にメイン側起動指示通知を受けると、メイン側電源制御部１３３はメインシステム１１２全体の電源をオンにする。これと共にメインシステム１１２は後に説明するネットワーク監視システム１１１からの正式起動指示が行われるまで復帰処理を行うことになる（ステップＳ２０６）。
【００５３】
一方、監視側電源制御部１２５が時刻ｔ5にメイン側起動指示通知をメイン側電源制御部１３３に送出すると、その後の時刻ｔ7に、ネットワーク簡易処理部１２３がＳＹＮ・ＡＣＫパケットを送信システム１０１に返送する（ステップＳ２０７）。このＳＹＮ・ＡＣＫパケットの送出はメインシステム１１２の関与なしに先行して行うことで、ＴＣＰ３ウェイハンドシェークによる接続の確立までに要する時間の短縮を図っている。
【００５４】
送信システム１０１はこのＳＹＮ・ＡＣＫパケットを受信すると、その後の時刻ｔ8にＡＣＫパケットをネットワーク監視システム１１１に送信する（ステップＳ２０９）。このＡＣＫパケットの受信によってネットワーク簡易処理部１２３はＴＣＰ３ウェイハンドシェークによる接続が先行して確立した状態となる。
【００５５】
ただし、メインシステム１１２はこの時点でまだ復帰処理中（ステップＳ２０６）である。そこでネットワーク簡易処理部１２３は、とりあえず時刻ｔ9にウィンドウサイズ（Ｗｉｎｄｏｗ  Ｓｉｚｅ）が「０」のＡＣＫパケットを送信システム１０１に返送する（ステップＳ２１０）。送信システム１０１はウィンドウサイズが「０」のＡＣＫパケットを時刻ｔ10に受信する。この時刻ｔ10に送信システム１０１は、受信システム１０２のバッファがデータの受信に余裕がない状態であると判別して、受信システム１０２へのデータの送信を停止する状態となる。
【００５６】
ところでステップＳ２０５で監視側電源制御部１２５はメイン側電源制御部１３３に対して、メイン側起動指示通知を送出した。メインシステム１１２はこれ以後ステップＳ２０６で復帰処理を行うことになるが、これはメイン側電源制御部１３３への強制的な給電処理の他に「電源給電に関連する簡単な起動情報の処理」に限定される。
【００５７】
このようにステップＳ２０６によるメインシステム１１２側の復帰処理が限定的なのは次の理由による。
（ａ）より詳細な情報をこの段階で通知しても、メインシステム１１２はこれ以上の情報を処理する回路部分に電源が供給されていない電源オフの状態であり、処理が不可能である。
（ｂ）ステップＳ２０５で先行起動指示が行われた時点ではネットワーク監視システム１１１がＴＣＰ３ウェイハンドシェークによる接続を先行して開始する状態であり、必ずしもこの時点で詳細情報を受け取る必要がない。
【００５８】
ただし、ステップＳ２０６によるメインシステム１１２側の復帰処理も後半になると、ネットワーク監視システム１１１と送信システム１０１の間でのＴＣＰ３ウェイハンドシェークが進行する。これによって入手した情報やネットワーク情報は、ステップＳ２０９でネットワーク監視システム１１１がＡＣＫパケットを受信した時点以後、特に時刻ｔ9におけるウィンドウサイズ「０」のパケットの送出以後はメインシステム１１２側に通知し処理させる必要がある。
【００５９】
そこでネットワーク監視システム１１１は、時刻ｔ9にウィンドウサイズ「０」のパケットを送信システム１０１に送出した後の時刻ｔ11に、メインシステム１１２に対して正式の起動指示を行う（ステップＳ２１１）。この正式の起動指示でネットワーク監視システム１１１は詳細な情報をメインシステム１１２に通知する。
【００６０】
メインシステム１１２は、ネットワーク監視システム１１１から通知の際に受け取った詳細な情報を基にして、ネットワーク監視システム１１１と送信システム１０１がやり取りしていた状態まで処理を進める。この結果、メインシステム１１２は、時刻ｔ12にネットワーク監視システム１１１に対して起動が完了したことを通知する（ステップＳ２１２）。この通知を受信したネットワーク監視システム１１１はその後の時刻ｔ13にメインシステム１１２が起動完了したことを判別する。
【００６１】
メインシステム１１２が起動完了すると、メイン側主制御部１３４は、システムバス１２２を介してネットワーク切替部１２１を制御してネットワーク１０３の接続をネットワーク処理部１３１側に切り替える。この結果、その後の時刻ｔ14までにメインシステム１１２は送信システム１０１からデータ転送を受け入れることができる体制となる。そこでメイン側主制御部１３４は、時刻ｔ14にウィンドウサイズ（Ｗｉｎｄｏｗ  Ｓｉｚｅ）が「０以外」のＡＣＫパケットを送信システム１０１に送出する（ステップＳ２１３）。送信システム１０１は、ステップＳ２１０でウィンドウサイズが「０」のパケットの受信時に停止していたパケットデータの送信を、新たに示されたウィンドウサイズに応じたサイズにして開始する（ステップＳ２１４）。
【００６２】
以上説明した処理により、本実施の形態ではネットワーク監視システム１１１が先行してＴＣＰ３ウェイハンドシェークによる接続を行うようにした。そして、送信システム１０１からメインシステム１１２へのデータ転送の開始を、ウィンドウサイズ「０」のパケットを送信システム１０１に送出することで遅延させ、その間にメインシステム１１２の起動を完了させるようにした。これにより、本実施の形態ではメインシステム１１２の起動時間が比較的長いシステムにおいても、送信システム１０１側でシーケンスにおけるタイムアウトが発生しなくなり、省電力モードを安定的に動作させることが可能になる。
【００６３】
また、本実施の形態では、メインシステム１１２の電源がオフになっている状態で、このメインシステム１１２の一員であるメイン側電源制御部１３３にネットワーク監視システム１１１側から強制的に電源を供給してこの動作を可能にさせた。したがって、電源がオフになっているメインシステム１１２の全体に電源の供給を再開してメイン側電源制御部１３３の動作を可能にする場合と比べて、電力消費を抑えた形で必要な回路部分のみを起動させることができる。したがって、何らかの原因でＴＣＰ３ウェイハンドシェークによる接続の処理が完了しなかったような場合には、メインシステム１１２をいきなり起動させる処理を行う場合と比べてメインシステム１１２の電源消費を大幅に抑制することができる。
【００６４】
なお、以上説明した第１の実施の形態では通信システム１００がプリントシステムを構成する場合を説明したが、これに限るものではなく、ネットワーク１０３を介して制御される各種の電子機器に本発明を適用することができる。また、通信システム１００は受信システム１０２が省電力モードを制御される場合を説明したが、これに限るものではない。たとえば受信システム１０２が送信部を備え、送信システム１０１が受信部を備えていて、受信システム１０２が送信システムに所定の処理を要求しないとき送信システム１０１が省電力モードに遷移するようになっていてもよい。
【００６５】
＜発明の第２の実施の形態＞
【００６６】
次に本発明の第２の実施の形態を説明する。
【００６７】
図１１は、本発明の第２の実施の形態における通信システムの概要を表わしたものである。図１１で図８と同一部分には同一の符号を付しており、これらの説明を適宜省略する。
【００６８】
通信システム３００は、送信システム１０１と受信システム１０２Ａが、ネットワーク１０３を介して接続している。受信システム１０２Ａには付加システム３０１が接続されている。このような通信システム３００で、受信システム１０２Ａおよびその付加システム３０１は送信システム１０１からデータの送信が開始されるまで、所定の条件の下で省電力モードの状態を保持しており、電力の消費を軽減するようになっている。ネットワーク１０３は、たとえばＬＡＮやインターネットで構成されている。
【００６９】
図１２は、図１１における受信システムの構成を具体的に示したものである。図１２で図９と同一部分には同一の符号を付しており、これらの説明を適宜省略する。
【００７０】
第２の実施の形態における受信システム１０２Ａは、図１１に示した送信システム１０１の送信を監視するネットワーク監視システム１１１と、送信システム１０１との関係で所定の処理を行うメインシステム１１２Ａを備えている。ここでは、一例として受信システム１０２Ａが画像データを送信システム１０１から受信するパーソナルコンピュータであるとし、付加システム３０１が受信システム１０２Ａにローカルに接続されたプリントシステムであるとする。この例で、付加システム３０１は受信システム１０２Ａが受信した画像データを基にしてトナー像を生成して熱定着するようになっている。
【００７１】
この例の場合、送信システム１０１が受信システム１０２Ａに対して所定時間以上印字データを送信しないと、ネットワーク監視システム１１１がこの状態を検出する。ネットワーク監視システム１１１の検出結果を基にして、受信システム１０２Ａおよび付加システム３０１は省電力モードの状態となる。受信システム１０２Ａが省電力モードの状態では、第１の実施の形態と同様にメインシステム１１２Ａが電源オフの状態となる。付加システム３０１も同様である。これにより、付加システム３０１内の図示しない定着装置等の各部の電源がオフになっており、通信システム３００全体の電力消費の節減が図られることになる。
【００７２】
図１１に示したネットワーク１０３は、ネットワーク監視システム１１１内のネットワーク切替部１２１と接続されている。ネットワーク切替部１２１は、メインシステム１１２Ａ内のネットワーク処理部１３１Ａがネットワーク１０３に接続するのをオン・オフ制御することができる。
【００７３】
図１２ではネットワーク切替部１２１とネットワーク処理部１３１Ａの間に、ケーブル１３２が接続されているが、このような接続形態に限るものではない。ネットワーク切替部１２１とネットワーク処理部１３１Ａが図示しない同一の基板の内部配線によって接続する構成となっていてもよい。また、ネットワーク切替部１２１とネットワーク処理部１３１Ａを接続する基板は１枚である必要はなく、複数が直列に接続した構成となっていてもよい。
【００７４】
ネットワーク監視システム１１１は、図１２に示した送信システム１０１等の他のシステムあるいはネットワークの監視を行う。ネットワーク監視システム１１１内のネットワーク切替部１２１には、システムバス１２２を介してネットワーク簡易処理部１２３、監視側主制御部１２４および監視側電源制御部１２５が接続されている。これらは先の第１の実施の形態のネットワーク監視システム１１１と同様である。
【００７５】
メインシステム１１２Ａは、第１の実施の形態におけるメインシステム１１２と同様にシステムバス１２２に接続されたネットワーク処理部１３１Ａとメイン側電源制御部１３３およびメイン側主制御部１３４Ａを備えている。このうちネットワーク処理部１３１Ａはネットワーク切替部１２１に一端を接続したケーブル１３２の他端とも接続されている。また、ネットワーク処理部１３１Ａは、メインシステム１１２Ａ内のルーティング処理部３１１とケーブル３１２によって接続されている。ルーティング処理部３１１は、他のケーブル３１３によって付加システム３０１と接続している。
【００７６】
付加システム３０１は、図９に示した受信システム１０２と同様にネットワーク監視システム１１１とメインシステム１１２に相当するシステム部品を備えている。このため、付加システム３０１の具体的な図示および説明は省略する。
【００７７】
以上のような構成の通信システム３００で送信システム１０１、受信システム１０２Ａおよび付加システム３０１は、たとえばパーソナルコンピュータのようなＣＰＵを備えた情報処理装置でそれぞれ構成されている。
【００７８】
図１３は、本実施の形態の通信システムで付加システムが省電力モードに遷移してから送信システムがこの付加システムに対してデータの転送を開始するまでの処理の流れを示したものである。図１１および図１２と共に説明する。また、第１の実施の形態の図１０と同一部分には同一の符号を付し、これらの説明を適宜省略する。
【００７９】
本実施の形態の通信システム３００では、付加システム３０１におけるメインシステムで所定時間Ｔ11以上にわたってプリント動作を行わないと、電力消費を抑えるための省電力モードに突入するものとする。付加システム３０１のメインシステム（メイン側）が時刻ｔ21に省電力モード（エコモード）に突入したことを付加システム３０１のネットワーク監視システム（監視側）に通知する（ステップＳ４０１）。付加システム３０１のネットワーク監視システム（監視側）は省電力モードの突入による省電力モード通知を受けると、その時刻ｔ22にケーブル３１３を用いて省電力モード通知を受信システム１０２Ａに送出する（ステップＳ４０２）。
【００８０】
本実施の形態の受信システム１０２Ａは、付加システム３０１からステップＳ４０２の省電力モード通知を受けた状態でそのネットワーク監視システム（監視側）１１１とメインシステム（メイン側）１１２Ａが共に電源をオンにしている。メインシステム１１２Ａの電源がオンとなっているので、システム移行状態通知パケットからなる省電力モード通知はルーティング処理部３１１を介してメイン側主制御部１３４Ａが受け取る。これにより、受信システム１０２Ａは、付加システム３０１が省電力モード状態になったことを認識する。
【００８１】
メイン側主制御部１３４Ａは付加システム３０１が省電力モード状態になると、所定時間Ｔ12の計時を開始する。そして、所定時間Ｔ12の省電力モード突入時間が経過した時刻ｔ23にシステムバス１２２を用いてネットワーク切替部１２１にネットワークをネットワーク監視システム１１１側に切り替えるネットワーク切替指示（メインシステム状態通知（省電力モード状態））を送出する（ステップＳ４０３）。
【００８２】
ネットワーク切替部１２１は、このネットワーク切替指示を受信すると、ネットワーク１０３に対する接続をネットワーク監視システム１１１側に切り替える。ステップＳ４０３のネットワーク切替指示は、第１の実施の形態のステップＳ２０１に対応する処理である。ただし、ステップＳ４０３のネットワーク切替指示では、付加システム３０１が受信システム１０２Ａに接続されていることも通知される。
【００８３】
ステップＳ２０２のネットワーク切替指示の通知後、受信システム１０２Ａのメインシステム１１２Ａはその電源がオフとなる（図１３における×印）。すなわち、メイン側主制御部１３４Ａはネットワーク切替部１２１にネットワーク切替指示を送出した後、システムバス１２２を使用してメイン側電源制御部１３３に対してメインシステム状態通知としての電源オフ指示を通知する。メイン側電源制御部１３３は電源オフ指示を受信すると、メインシステム１１２内の電源をすべてオフにする（ステップＳ２０３参照）。この時刻以後のネットワーク１０３の監視は、メインシステム１１２Ａに代わってネットワーク簡易処理部１２３が行うことになる。このようにして受信システム１０２Ａも省電力モードに移行して、そのネットワーク監視システム１１１のみに電源が供給され、省電力化が図られる。
【００８４】
受信システム１０２Ａが省電力モードに移行してから所定時間Ｔ13が経過した時刻ｔ24に、送信システム１０１が付加システム３０１に対して、データの転送の許可を得るためにＳＹＮフラグを付与したパケット（ＳＹＮフラグ）を送信したとする（ステップＳ４０４）。このパケット（ＳＹＮフラグ）は、ネットワーク１０３を経て、まず受信システム１０２Ａに到達する。
【００８５】
受信システム１０２Ａはこのとき省電力モードとなっている。このため、パケット（ＳＹＮフラグ）はネットワーク監視システム１１１側のネットワーク簡易処理部１２３が受信する（ステップＳ４０４）。ネットワーク簡易処理部１２３は、ＳＹＮパケットを検出すると監視側主制御部１２４に対してネットワーク監視システム状態通知としてのＳＹＮパケット検出を通知する。
【００８６】
監視側主制御部１２４は、ＳＹＮパケット検出の通知を受けると、監視側電源制御部１２５に対して、メイン側起動指示通知を送出する。監視側電源制御部１２５はこの通知を受けると、メイン側電源制御部１３３に対して、メイン側起動指示通知を送出する（ステップＳ４０５）。
【００８７】
ただし、このときメインシステム１１２Ａはその電源がオフとなっている（図１３における×印）。このため監視側電源制御部１２５は時刻ｔ24以後の時刻ｔ25にメイン側電源制御部１３３と接続した信号線１３６に強制的に電源を供給してメイン側電源制御部１３３を起動させ、これをもってメイン側起動指示通知とする（ステップＳ４０５）。
【００８８】
このようにして時刻ｔ25以後の時刻ｔ26にメイン側起動指示通知を受けると、メイン側電源制御部１３３はメインシステム１１２Ａ全体の電源をオンにする。これと共にメインシステム１１２Ａは後に説明するネットワーク監視システム１１１からの正式起動指示が行われるまで復帰処理を行うことになる（ステップＳ４０６）。
【００８９】
一方、監視側電源制御部１２５が時刻ｔ25にメイン側起動指示通知をメイン側電源制御部１３３に送出すると、その後の時刻ｔ27に、ネットワーク簡易処理部１２３がＳＹＮ・ＡＣＫパケットを送信システム１０１に返送する（ステップＳ４０７）。このＳＹＮ・ＡＣＫパケットの送出はメインシステム１１２Ａおよび付加システム３０１の関与なしに先行して行うことで、ＴＣＰ３ウェイハンドシェークによる接続の確立までに要する時間の短縮を図っている。
【００９０】
送信システム１０１はこのＳＹＮ・ＡＣＫパケットを受信すると、その後の時刻ｔ28にＡＣＫパケットを付加システム３０１に送信する（ステップＳ４０９）。このＡＣＫパケットはネットワーク簡易処理部１２３が受信する。すなわち、ＡＣＫパケットは付加システム３０１にまで到達しないが、これによりＴＣＰ３ウェイハンドシェーク（先行）が形式的には成立した状態となる。
【００９１】
メインシステム１１２はこの時点でまだ復帰処理中（ステップＳ４０６）である。そこでネットワーク簡易処理部１２３は、とりあえず時刻ｔ29にウィンドウサイズが「０」のＡＣＫパケットを送信システム１０１に返送する（ステップＳ４１０）。送信システム１０１はウィンドウサイズが「０」のＡＣＫパケットを時刻ｔ30に受信する。この時刻ｔ30に送信システム１０１は、付加システム３０１のバッファがデータの受信に余裕がない状態であると判別して、付加システム３０１へのデータの送信を停止する状態となる。
【００９２】
ところでステップＳ４０５で監視側電源制御部１２５はメイン側電源制御部１３３に対して、メイン側起動指示通知を送出した。メインシステム１１２Ａはこれ以後ステップＳ４０６で復帰処理を行うことになるが、これはメイン側電源制御部１３３への強制的な給電処理の他に「電源給電に関連する簡単な起動情報の処理」に限定される。
【００９３】
このようにステップＳ４０６によるメインシステム１１２Ａ側の復帰処理が限定的なのは次の理由による。
（ａ）より詳細な情報をこの段階で通知しても、メインシステム１１２Ａはこれ以上の情報を処理する回路部分に電源が供給されていない電源オフの状態であり、処理が不可能である。
（ｂ）ステップＳ４０５で先行起動指示（メイン側起動指示通知）が行われた時点ではネットワーク監視システム１１１がＴＣＰ３ウェイハンドシェークによる接続を先行して開始する状態であり、必ずしもこの時点で詳細情報を受け取る必要がない。
（ｃ）ステップＳ４０６で復帰処理を行っている状態で、本来、ＴＣＰ３ウェイハンドシェークを行う対象としての付加システム３０１は省電力モードの状態である。
【００９４】
ただし、ステップＳ４０６によるメインシステム１１２Ａ側の復帰処理も後半になると、ネットワーク監視システム１１１と送信システム１０１の間でのＴＣＰ３ウェイハンドシェークが進行する。これによって入手した情報やネットワーク情報は、ステップＳ４０９でネットワーク監視システム１１１がＡＣＫパケットを受信した時点以後、特に時刻ｔ29におけるウィンドウサイズ「０」のパケットの送出以後はメインシステム１１２Ａ側に通知し処理させる必要がある。
【００９５】
そこでネットワーク監視システム１１１は、時刻ｔ29にウィンドウサイズ「０」のパケットを送信システム１０１に送出した後の時刻ｔ31に、メインシステム１１２Ａに対して正式の起動指示を行う（ステップＳ４１１）。この正式の起動指示でネットワーク監視システム１１１は詳細な情報をメインシステム１１２Ａに通知する。
【００９６】
メインシステム１１２Ａは、ネットワーク監視システム１１１から通知の際に受け取った詳細な情報を基にして、ネットワーク監視システム１１１と送信システム１０１がやり取りしていた状態まで処理を進める。この結果、メインシステム１１２Ａは、時刻ｔ32にネットワーク監視システム１１１に対して起動が完了したことを通知する（ステップＳ４１２）。この通知を受信したネットワーク監視システム１１１はその後の時刻ｔ33にメインシステム１１２Ａが起動完了したことを判別する。
【００９７】
メインシステム１１２Ａが起動完了すると、メイン側主制御部１３４Ａは、システムバス１２２を介してネットワーク切替部１２１を制御してネットワーク１０３の接続をネットワーク処理部１３１Ａ側に切り替える。この結果、その後の時刻ｔ34までにメインシステム１１２Ａは送信システム１０１からデータ転送を受け入れることができる体制となる。そこでメイン側主制御部１３４Ａは、時刻ｔ34に付加システム３０１に対して起動指示を通知する（ステップＳ４１３）。
【００９８】
この起動指示の通知は、メイン側主制御部１３４Ａから付加システム３０１の監視側（ネットワーク監視システム１１１に相当。）で受け取られる。付加システム３０１の監視側（ネットワーク監視システム１１１に相当。）は、時刻ｔ35にその監視側電源制御部（監視側電源制御部１２５に相当。）がメイン側電源制御部（メイン側電源制御部１３３に相当。）に強制的に給電する。これにより、付加システム３０１のメイン側（メインシステム１１２Ａに相当。）が復帰処理を行う（ステップＳ４１４）。
【００９９】
ステップＳ４１４の復帰処理を終了して時刻ｔ36にその起動を完了すると、付加システム３０１のメイン側（メインシステム１１２Ａに相当。）はウィンドウサイズが「０以外」のＡＣＫパケットを送信システム１０１に送出する（ステップＳ４１５）。この結果、送信システム１０１は、ステップＳ４１０でウィンドウサイズが「０」のパケットの受信時に停止していたパケットデータの送信を、新たに示されたウィンドウサイズに応じたサイズにして開始する（ステップＳ４１６）。
【０１００】
以上説明した処理により、受信システム１０２Ａおよび付加システム３０１の起動に比較的長時間を要しても、ＴＣＰ３ウェイハンドシェークによる接続は送信システム１０１とネットワーク監視システム１１１との間で先行して終了する。したがって、送信システム１０１はウィンドウサイズが「０以外」のＡＣＫパケットを受信するまで付加システム３０１に対するデータ転送を控える処理を行うことになる。このため、起動までの時間が長いことによるネットワークシーケンスにおけるタイムアウトが送信システム１０１側で発生しない。すなわち、本実施の形態の通信システム３００のように省電力モードを実行する情報処理装置が縦続接続されても、省電力モードを安定的に動作させることが可能となる。
【０１０１】
更に第２の実施の形態の通信システム３００は、送信システム１０１とネットワーク１０３で直接接続している受信システム１０２Ａ以外の省電力モードの実行だけでなく、付加システム３０１の省電力モードの実行にも対応し、これらの省電力モードの復帰指示が可能である。したがって、省電力モードによる消費電力の低下をより効果的に達成することができる。
【０１０２】
なお、以上説明した第２の実施の形態では付加システム３０１がプリントシステムを構成する場合を説明したが、これに限るものではなく、ネットワーク１０３を介して制御される各種の電子機器に本発明を適用することができる。
【０１０３】
＜発明の第３の実施の形態＞
【０１０４】
次に本発明の第３の実施の形態を説明する。
【０１０５】
図１４は、本発明の第３の実施の形態における通信システムの概要を表わしたものである。図１４で図１１と同一部分には同一の符号を付しており、これらの説明を適宜省略する。
【０１０６】
通信システム５００は、送信システム１０１と受信システム１０２Ｂが、ネットワーク１０３を介して接続している。受信システム１０２Ｂには第１〜第３の付加システム３０１Ａ〜３０１Ｃが接続されている。このような通信システム５００で、第１〜第３の付加システム３０１Ａ〜３０１Ｃのすべては所定の条件の下で省電力モードの状態を保持しており、電力の消費を軽減するようになっている。受信システム１０２Ｂも所定の条件の下で省電力モードの状態を保持し、その電力の消費を軽減するようになっている。ネットワーク１０３は、たとえばＬＡＮやインターネットで構成されている。
【０１０７】
図１５は、図１４における受信システムの構成を具体的に示したものである。図１５で図１２と同一部分には同一の符号を付しており、これらの説明を適宜省略する。
【０１０８】
第３の実施の形態における受信システム１０２Ｂは、図１２に示した送信システム１０１の送信を監視するネットワーク監視システム１１１と、送信システム１０１との関係で所定の処理を行うメインシステム１１２Ｂを備えている。ここでは、一例として受信システム１０２Ｂが画像データを送信システム１０１から受信するパーソナルコンピュータであるとする。また、第１〜第３の付加システム３０１Ａ〜３０１Ｃが受信システム１０２Ｂにローカルに接続された各種のプリントシステムであるとする。
【０１０９】
この例で、第１の付加システム３０１Ａは受信システム１０２Ｂが受信した画像データを基にして１種類のトナーを用いたトナー像を生成して熱定着する単色プリンタである。第２の付加システム３０１Ｂは、受信システム１０２Ｂが受信した画像データを基にして４色のトナーを用いたトナー像を生成して熱定着するカラープリンタである。第３の付加システム３０１Ｃは、受信システム１０２Ｂが受信した画像データを基にして熱昇華式の高品位な画質の画像を葉書サイズの転写紙に形成するカラープリンタである。
【０１１０】
この例の場合、送信システム１０１が第１〜第３の付加システム３０１Ａ〜３０１Ｃのいずれかに所定時間以上印字データを送信しなかったとする。この場合には、第１〜第３の付加システム３０１Ａ〜３０１Ｃの該当するシステムが省電力モードの状態となる。これにより、第１〜第３の付加システム３０１Ａ〜３０１Ｃの該当するシステムの熱源等の部品の電力消費がなくなるか抑えられ、それらの電力消費の節減が図られることになる。
【０１１１】
また、受信システム１０２Ｂは第１〜第３の付加システム３０１Ａ〜３０１Ｃの全部が省電力モードの状態となると、所定の条件の下で同様に省電力モードの状態となる。これにより、受信システム１０２Ｂについても電力消費の節減が図られることになる。
【０１１２】
図１４に示したネットワーク１０３は、ネットワーク監視システム１１１内のネットワーク切替部１２１と接続されている。ネットワーク切替部１２１は、メインシステム１１２Ｂ内のネットワーク処理部１３１Ｂがネットワーク１０３に接続するのをオン・オフ制御することができる。
【０１１３】
図１５ではネットワーク切替部１２１とネットワーク処理部１３１Ｂの間に、ケーブル１３２が接続されているが、このような接続形態に限るものではない。ネットワーク切替部１２１とネットワーク処理部１３１Ｂが図示しない同一の基板の内部配線によって接続する構成となっていてもよい。また、ネットワーク切替部１２１とネットワーク処理部１３１Ｂを接続する基板は１枚である必要はなく、複数が直列に接続した構成となっていてもよい。
【０１１４】
ネットワーク監視システム１１１は、図１５に示した送信システム１０１等の他のシステムあるいはネットワークの監視を行う。ネットワーク監視システム１１１内のネットワーク切替部１２１には、システムバス１２２を介してネットワーク簡易処理部１２３、監視側主制御部１２４および監視側電源制御部１２５が接続されている。これらは先の第１あるいは第２の実施の形態のネットワーク監視システム１１１と同様である。
【０１１５】
メインシステム１１２Ｂは、システムバス１２２に接続されたネットワーク処理部１３１Ｂとメイン側電源制御部１３３およびメイン側主制御部１３４Ｂを備えている。このうちネットワーク処理部１３１Ｂはネットワーク切替部１２１に一端を接続したケーブル１３２の他端とも接続されている。また、ネットワーク処理部１３１Ｂは、メインシステム１１２Ｂ内のルーティング処理部３１１Ｂとケーブル３１２によって接続されている。ルーティング処理部３１１Ｂは、ケーブル３１３Ａによって第１の付加システム３０１Ａと接続している。また、ルーティング処理部３１１Ｂは、ケーブル３１３Ｂによって第２の付加システム３０１Ｂと接続し、ケーブル３１３Ｃによって第３の付加システム３０１Ｃと接続している。
【０１１６】
第１〜第３の付加システム３０１Ａ〜３０１Ｃは、図９に示した受信システム１０２と同様にネットワーク監視システム１１１とメインシステム１１２に相当するシステム部品を備えている。このため、第１〜第３の付加システム３０１Ａ〜３０１Ｃの具体的な図示および説明は省略する。
【０１１７】
以上のような構成の通信システム５００で送信システム１０１、受信システム１０２Ｂおよび第１〜第３の付加システム３０１Ａ〜３０１Ｃは、たとえばパーソナルコンピュータのようなＣＰＵを備えた情報処理装置でそれぞれ構成されている。
【０１１８】
図１６は、本実施の形態の通信システムで第１〜第３の付加システムが省電力モードにそれぞれ遷移してから受信システムが省電力モードに突入するまでの処理の流れの一例を表わしたものである。図１４および図１５と共に説明する。
【０１１９】
本実施の形態の通信システム５００では、第１の付加システム３０１Ａが所定時間Ｔ21以上にわたってプリント動作を行わないと、電力消費を抑えるための省電力モードに突入するようになっている。同様に第２の付加システム３０１Ｂが所定時間Ｔ22以上にわたってプリント動作を行わないと、同様の省電力モードに突入し、第３の付加システム３０１Ｃが所定時間Ｔ23以上にわたってプリント動作を行わないと、同様の省電力モードに突入する。
【０１２０】
したがって、たとえば時刻ｔ41から所定時間Ｔ21の間、第１の付加システム３０１Ａがプリント動作を行わなかったとする。すると、この後の時刻ｔ42に第１の付加システム３０１Ａのメインシステム（メイン側）が省電力モードに突入し、これを第１の付加システム３０１Ａのネットワーク監視システム（監視側）に通知する（ステップＳ６０１）。第１の付加システム３０１Ａのネットワーク監視システム（監視側）は省電力モードの突入による省電力モード通知を受けると、時刻ｔ43にケーブル３１３Ａを用いて省電力モード通知を受信システム１０２Ｂに送出する（ステップＳ６０２）。
【０１２１】
本実施の形態の受信システム１０２Ｂは、第１の付加システム３０１ＡからステップＳ６０２の省電力モード通知を受けた状態でそのネットワーク監視システム（監視側）１１１とメインシステム（メイン側）１１２Ｂが共に電源をオンにしている。メインシステム１１２Ｂの電源がオンとなっているので、システム移行状態通知パケットからなる省電力モード通知はルーティング処理部３１１を介してメイン側主制御部１３４Ｂが受け取る。これにより、受信システム１０２Ｂは、第１の付加システム３０１Ａが省電力モード状態になったことを時刻ｔ44に認識する。
【０１２２】
そこで受信システム１０２Ｂは、このとき第１〜第３の付加システム３０１Ａ〜３０１Ｃのうちの残りのシステムが省電力モード状態になっているかを判別する。受信システム１０２Ｂはそのメイン側主制御部１３４Ｂを構成する図示しないメモリ領域に第１〜第３の付加システム３０１Ａ〜３０１Ｃのそれぞれが省電力モードになっているかと、省電力モードになっている場合の開始時刻に関する情報を格納するようになっている。
【０１２３】
図１６に示した例では、第２の付加システム３０１Ｂが時刻ｔ43の直前の時刻ｔ45までプリント動作を行っている。そこで受信システム１０２Ｂのメインシステム１１２Ｂは第１〜第３の付加システム３０１Ａ〜３０１Ｃのすべてが省電力モードになっている状態ではないことを判別して、受信システム１０２Ｂ自体の省電力モードへの突入のためのカウント動作を開始しない。すなわち、受信システム１０２Ｂはそのメインシステム１１２Ｂが通常通り動作する状態に置かれる。
【０１２４】
時刻ｔ45に第２の付加システム３０１Ｂがその処理を完了する。すると、それから所定時間Ｔ22が経過した時刻ｔ47に第２の付加システム３０１Ｂのメインシステム（メイン側）が省電力モードに突入し、これを第２の付加システム３０１Ｂのネットワーク監視システム（監視側）に通知する（ステップＳ６０３）。第２の付加システム３０１Ｂのネットワーク監視システム（監視側）は省電力モードの突入による省電力モード通知を受けると、時刻ｔ48にケーブル３１３Ｂを用いて省電力モード通知を受信システム１０２Ｂに送出する（ステップＳ６０４）。
【０１２５】
このときメインシステム１１２Ｂの電源はオンとなっている。そこでシステム移行状態通知パケットからなる省電力モード通知はルーティング処理部３１１を介してメイン側主制御部１３４Ｂが受け取る。これにより、受信システム１０２Ｂは、第２の付加システム３０１Ｂが省電力モード状態になったことを時刻ｔ49に認識する。
【０１２６】
受信システム１０２Ｂは、メイン側主制御部１３４Ｂを構成する前記したメモリ領域を調べて第１〜第３の付加システム３０１Ａ〜３０１Ｃの全部が省電力モードになっているかをチェックする。この例では、第３の付加システム３０１Ｃが稼働中であるとする。この場合には、第１〜第３の付加システム３０１Ａ〜３０１Ｃの全部が省電力モードになっているという条件が成立しない。そこで、受信システム１０２Ｂはそのメインシステム１１２Ｂが通常通り動作する状態に置かれる。
【０１２７】
その後の時刻ｔ50に第１および第２の付加システム３０１Ａ、３０１Ｂが省電力モードの状態で第３の付加システム３０１Ｃのプリント動作が完了したとする。すると、それから所定時間Ｔ23が経過した時刻ｔ51に第３の付加システム３０１Ｃのメインシステム（メイン側）が省電力モードに突入し、これを第３の付加システム３０１Ｃのネットワーク監視システム（監視側）に通知する（ステップＳ６０５）。第３の付加システム３０１Ｃのネットワーク監視システム（監視側）は省電力モードの突入による省電力モード通知を受けると、時刻ｔ52にケーブル３１３Ｃを用いて省電力モード通知を受信システム１０２Ｂに送出する（ステップＳ６０６）。
【０１２８】
このときメインシステム１１２Ｂの電源はオンとなっている。そこでシステム移行状態通知パケットからなる省電力モード通知はルーティング処理部３１１を介してメイン側主制御部１３４Ｂが受け取る。これにより、受信システム１０２Ｂは、第３の付加システム３０１Ｃが省電力モード状態になったことを時刻ｔ53に認識する。
【０１２９】
受信システム１０２Ｂは、メイン側主制御部１３４Ｂを構成する前記したメモリ領域を調べて第１〜第３の付加システム３０１Ａ〜３０１Ｃの全部が省電力モードになっているかをチェックする。この例では、第１〜第３の付加システム３０１Ａ〜３０１Ｃの全部が省電力モードになっているという条件が成立する。そこでメイン側主制御部１３４Ｂは、この条件がその後の所定時間Ｔ24以上継続するかを判別する（ステップＳ６０７）。
【０１３０】
もし、所定時間Ｔ24が経過する前に送信システム１０１から第１〜第３の付加システム３０１Ａ〜３０１Ｃのいずれかについての印字データが送られてきたような場合には、対応する付加システムの省電力モードが解除される。したがって、このような場合には後の時点で第１〜第３の付加システム３０１Ａ〜３０１Ｃの全部が省電力モードになるかの判別を再度行うことになる。
【０１３１】
これとは異なり、第１〜第３の付加システム３０１Ａ〜３０１Ｃの全部が省電力モードになった状態で所定時間Ｔ24が経過したとする。すると、その後の時刻ｔ54にメイン側主制御部１３４Ｂはシステムバス１２２を用いてネットワーク切替部１２１にネットワークをネットワーク監視システム１１１側に切り替えるネットワーク切替指示（メインシステム状態通知（省電力モード状態））を送出する（ステップＳ６０８）。
【０１３２】
ネットワーク切替部１２１は、このネットワーク切替指示を受信すると、ネットワーク１０３に対する接続をネットワーク監視システム１１１側に切り替える。このときのネットワーク切替指示では、第１〜第３の付加システム３０１Ａ〜３０１Ｃのそれぞれが受信システム１０２Ｂに接続されていることも通知される。
【０１３３】
図１７は、ステップＳ６０８以降における受信システムと送信システムおよび処理の対象となる付加システムの間での処理の流れを表わしたものである。図１４および図１５と共に説明する。なお、図１７では処理対象となる付加システムを第Ｘの付加システムとしている。
【０１３４】
ステップＳ６０８のネットワーク切替指示の通知後、受信システム１０２Ｂのメインシステム１１２Ｂはその電源がオフとなる（図１７における×印）。すなわち、メイン側主制御部１３４Ｂはネットワーク切替部１２１にネットワーク切替指示を送出した後、システムバス１２２を使用してメイン側電源制御部１３３に対してメインシステム状態通知としての電源オフ指示を通知する。メイン側電源制御部１３３は電源オフ指示を受信すると、メインシステム１１２内の電源をすべてオフにする（ステップＳ６０９）。この時刻以後のネットワーク１０３の監視は、メインシステム１１２Ｂに代わってネットワーク簡易処理部１２３が行うことになる。このようにして受信システム１０２Ｂも省電力モードに移行して、そのネットワーク監視システム１１１のみに電源が供給され、省電力化が図られる。
【０１３５】
受信システム１０２Ｂが省電力モードに移行してから所定時間Ｔ31が経過した時刻ｔ61に、送信システム１０１が第１〜第３の付加システム３０１Ａ〜３０１Ｃのいずれかに対して、データの転送の許可を得るためにＳＹＮフラグを付与したパケット（ＳＹＮフラグ）を送信したとする（ステップＳ６１０）。このパケット（ＳＹＮフラグ）は、ネットワーク１０３を経て、まず受信システム１０２Ｂに到達する。
【０１３６】
受信システム１０２Ｂはこのとき省電力モードとなっている。このため、パケット（ＳＹＮフラグ）はネットワーク監視システム１１１側のネットワーク簡易処理部１２３が受信する。ネットワーク簡易処理部１２３は、時刻ｔ62にＳＹＮパケットを検出すると監視側主制御部１２４に対してネットワーク監視システム状態通知としてのＳＹＮパケット検出を通知する。
【０１３７】
図１７では図示していないが、監視側主制御部１２４は、ＳＹＮパケット検出の通知を受けると、監視側電源制御部１２５に対して、メイン側起動指示通知を送出する。監視側電源制御部１２５はこの通知を受けると、メイン側電源制御部１３３に対して、メイン側起動指示通知を送出する。
【０１３８】
ただし、このときメインシステム１１２Ｂはその電源がオフとなっている（ステップＳ６０９）。このため監視側電源制御部１２５は時刻ｔ62以後の所定の時刻にメイン側電源制御部１３３と接続した信号線１３６に強制的に電源を供給してメイン側電源制御部１３３を起動させ、これをもってメイン側起動指示通知とする。
【０１３９】
このようにしてメイン側起動指示通知を受けると、メイン側電源制御部１３３はメインシステム１１２Ｂ全体の電源をオンにする。これと共にメインシステム１１２Ｂは後に説明するネットワーク監視システム１１１からの正式起動指示が行われるまで復帰処理を行うことになる。
【０１４０】
一方、監視側電源制御部１２５がメイン側起動指示通知をメイン側電源制御部１３３に送出すると、その後の時刻ｔ63に、ネットワーク簡易処理部１２３がＳＹＮ・ＡＣＫパケットを送信システム１０１に返送する（ステップＳ６１１）。このＳＹＮ・ＡＣＫパケットの送出はメインシステム１１２Ｂおよび第１〜第３の付加システム３０１Ａ〜３０１Ｃの関与なしに先行して行うことで、ＴＣＰ３ウェイハンドシェークによる接続の確立までに要する時間の短縮を図っている。
【０１４１】
送信システム１０１はこのＳＹＮ・ＡＣＫパケットを受信すると、その後の時刻ｔ64にＡＣＫパケットを第１〜第３の付加システム３０１Ａ〜３０１Ｃのうちの今回の送信先に送信する（ステップＳ６１２）。このＡＣＫパケットはネットワーク簡易処理部１２３が受信する。すなわち、ＡＣＫパケットは第１〜第３の付加システム３０１Ａ〜３０１Ｃのうちの今回の送信先にまで到達しないが、これによりＴＣＰ３ウェイハンドシェーク（先行）が形式的には成立した状態となる。
【０１４２】
メインシステム１１２はこの時点でまだ復帰処理中である。そこでネットワーク簡易処理部１２３は、とりあえず時刻ｔ65にウィンドウサイズが「０」のＡＣＫパケットを送信システム１０１に返送する（ステップＳ６１３）。送信システム１０１はウィンドウサイズが「０」のＡＣＫパケットを時刻ｔ66に受信する。この時刻ｔ66に送信システム１０１は、第１〜第３の付加システム３０１Ａ〜３０１Ｃのうちの今回の送信先の付加システムのバッファがデータの受信に余裕がない状態であると判別して、これへのデータの送信を停止する状態となる。
【０１４３】
この状態で受信システム１０２Ｂは、第１〜第３の付加システム３０１Ａ〜３０１Ｃのうちの今回の送信先（ここでは第１の付加システム３０１Ａとする。）に起動指示を通知する（ステップＳ６１４）。
【０１４４】
この起動指示の通知は、メイン側主制御部１３４Ｂから第１の付加システム３０１Ａの監視側（ネットワーク監視システム１１１に相当。）で受け取られる。第１の付加システム３０１Ａの監視側（ネットワーク監視システム１１１に相当。）は、時刻ｔ67にその監視側電源制御部（監視側電源制御部１２５に相当。）がメイン側電源制御部（メイン側電源制御部１３３に相当。）に強制的に給電する。これにより、第１の付加システム３０１Ａのメイン側（メインシステム１１２Ａに相当。）が復帰処理を行う（ステップＳ６１５）。
【０１４５】
ステップＳ６１５の復帰処理を終了して時刻ｔ68にその起動を完了すると、第１の付加システム３０１Ａのメイン側（メインシステム１１２Ａに相当。）はウィンドウサイズが「０以外」のＡＣＫパケットを送信システム１０１に送出する（ステップＳ６１６）。この結果、送信システム１０１は、ステップＳ６１３でウィンドウサイズが「０」のパケットの受信時に停止していたパケットデータの送信を、新たに示されたウィンドウサイズに応じたサイズにして開始する（ステップＳ６１７）。
【０１４６】
以上説明した処理により、受信システム１０２Ｂおよび第１〜第３の付加システム３０１Ａ〜３０１Ｃのうちの今回の送信先の起動に比較的長時間を要しても、ＴＣＰ３ウェイハンドシェークによる接続は送信システム１０１とネットワーク監視システム１１１との間で先行して終了する。したがって、送信システム１０１はウィンドウサイズが「０以外」のＡＣＫパケットを受信するまで第１〜第３の付加システム３０１Ａ〜３０１Ｃのうちの今回の送信先に対するデータ転送を控える処理を行うことになる。このため、起動までの時間が長いことによるネットワークシーケンスにおけるタイムアウトが送信システム１０１側で発生しない。すなわち、本実施の形態の通信システム５００のように省電力モードを実行する情報処理装置が縦続接続されても、省電力モードを安定的に動作させることが可能となる。
【０１４７】
更に第３の実施の形態の通信システム５００は、送信システム１０１とネットワーク１０３で直接接続している受信システム１０２Ｂ以外の省電力モードの実行だけでなく、第１〜第３の付加システム３０１Ａ〜３０１Ｃの省電力モードの実行にも対応し、これらの省電力モードの復帰指示が可能である。したがって、省電力モードによる消費電力の低下をより効果的に達成することができる。
【０１４８】
また、以上説明した本発明の各実施の形態は、ウェイク・オン（Wake On）ＬＡＮ機能と比較してもその効果を確認することができる。ここでウェイク・オンＬＡＮ機能とは、電源の投入やシャットダウン等の電源操作を遠隔で行う技術である。この技術を使用することで、第１〜第３の実施の形態と同様に電子機器や電子機器システムの電力消費を抑えることができる。
【０１４９】
しかしながら、ウェイク・オンＬＡＮ機能を実現するためには、送信側と受信側のシステムの双方にウェイク・オンＬＡＮに対応したデバイスあるいは処理用のプログラムを実装する必要がある。これに対して本発明の場合には、受信側のシステムで省電力の効果を実現させようとするとき、送信側のシステムに特別なデバイスを用意したり、これに代わる処理用のプログラムを実装する必要がない。これは、ウェイク・オンＬＡＮと比較したときの本発明の大きな利点となる。
【０１５０】
なお、以上説明した第３の実施の形態では付加システム３０１がプリントシステムを構成する場合を説明したが、これに限るものではなく、ネットワーク１０３を介して制御される各種の電子機器に本発明を適用することができる。
【０１５１】
＜発明の変形可能性＞
【０１５２】
本発明は、以上説明した第１〜第３の実施の形態に限らず、各種の変形が可能である。たとえば、第１の実施の形態では、図１０の時刻ｔ5に示すようにメイン側電源制御部１３３と接続した信号線１３６に強制的に電源を供給してメイン側電源制御部１３３を起動した。これは、ＴＣＰ３ウェイハンドシェークの処理が完了する前に受信システム１０２のメイン側に先行して起動を指示するものである。この先行して起動を指示するタイミングは、ネットワーク簡易処理部１２３がその後の時刻ｔ7にＳＹＮ・ＡＣＫパケットを送信システム１０１に返送する処理（ステップＳ２０７）のタイミングであってもよい。また、これ以後の時刻ｔ8に送信システム１０１がＡＣＫパケットを送信しネットワーク簡易処理部１２３がこれを受信したタイミングであってもよい。受信システム１０２のメイン側に先行して起動を指示するタイミングが後にずれるほどメイン側電源制御部１３３の起動を完了するまでの時刻は遅くなるが、ＴＣＰ３ウェイハンドシェークの処理が完了する信頼性は高まることになる。
【０１５３】
また、第２の実施の形態を説明する図１３では、同様の先行起動指示のタイミングをステップＳ４０４で送信されたＳＹＮフラグが受信システム１０２Ａで受信した後でネットワーク簡易処理部１２３がＳＹＮ・ＡＣＫパケットを送信システム１０１に返送する前とした。これをネットワーク簡易処理部１２３がＳＹＮ・ＡＣＫパケットを送信システム１０１に返送した後でＡＣＫパケットを受信する前のタイミングとしてもよい。更に、先行起動指示のタイミングをネットワーク簡易処理部１２３が送信システム１０１からＡＣＫパケットを受信した後の時刻ｔ29頃を先行起動指示のタイミングとしてもよい。
【０１５４】
更に以上説明した第１の実施の形態では、ネットワーク監視システム１１１が常にその電源をオンにしているものと説明したが、これに限るものではない。たとえばネットワーク監視システム１１１とペアを組むメインシステム１１２の電源がオンになっている間はネットワーク監視システム１１１の電源をオフにするようにしてもよい。本発明の第２および第３の実施の形態についても同様である。
【０１５５】
また、本発明の第２の実施の形態では、受信システム１０２Ａおよび付加システム３０１を起動させるとき、ステップＳ４０５による先行起動指示を受信システム１０２Ａのメイン側で行い、その復帰処理が完了してから付加システム３０１の起動指示を行った。これとは異なり、受信システム１０２Ａのメイン側が付加システム３０１に先行起動指示を出せる段階まで復帰が進んだとき付加システム３０１に対する起動指示を行うようにしてもよい。もちろん、この場合にもＴＣＰ３ウェイハンドシェークの処理後に受信システム１０２Ａはウィンドウサイズが「０」のＡＣＫパケットを送信システム１０１に取り敢えず返送して、送信システム１０１によるデータ転送の開始を遅延させることになる。
【０１５６】
更に第１〜第３の実施の形態ではネットワークに接続した受信システム１０２等のネットワーク接続機器について説明したが、本発明における電源の起動制御は、各種の電子機器全般に適用可能であることは当然である。
【０１５７】
また、第１〜第３の実施の形態では省電力モードから通常モードへ復帰する契機となる要復帰通知をネットワーク側の相手機による通信開始の要求として捉えたが、これに限るものではない。たとえば省電力モードにある電気製品の起動用のスイッチをユーザが操作するような場合にも要復帰通知がこのスイッチから出力されたと判断することができる。
【０１５８】
以上説明した実施の形態の一部または全部は、以下の付記のようにも記載されるが、以下の記載に限定されるものではない。
【０１５９】
（付記１）
自装置の待機時の電力消費を節減する省電力モード時に外部ネットワークと接続してネットワーク側の相手機から「ＳＹＮ（Synchronize）」フラグが送られてきたときこれに伴うＴＣＰ（Transmission Control Protocol）コネクションを確立するためのＴＣＰ３ウェイハンドシェークを行う省電力モード時ハンドシェーク手段と、
この省電力モード時ハンドシェーク手段によるＴＣＰ３ウェイハンドシェークが完了する前の段階で装置全体を省電力モード以外のモードとしての通常モードに復帰させる処理を開始させる通常モード復帰開始手段と、
この通常モード復帰開始手段によって前記装置全体が通常モードに復帰する前に前記省電力モード時ハンドシェーク手段によるＴＣＰ３ウェイハンドシェークが完了したら前記相手機に対してデータの受信のためのウィンドウサイズがゼロであることを通知するウィンドウサイズゼロ通知手段と、
このウィンドウサイズゼロ通知手段がウィンドウサイズのゼロを通知した後、前記装置全体が通常モードに復帰したら前記相手機に対してウィンドウサイズをゼロ以外の値に変更して通知し前記相手機からのデータの受信を可能にするウィンドウサイズゼロ以外通知手段
とを具備することを特徴とする電子機器。
【０１６０】
（付記２）
前記省電力モード時に電源の供給がオフとなっている回路部分の電源をオンにする制御を行う特定回路部分電源起動手段と、この特定回路部分電源起動手段に起動のための電力を供給する電力供給線とを備え、前記通常モード復帰開始手段は通常モードへの復帰開始時に前記電力供給線に電力を供給することを特徴とする付記１記載の電子機器。
【０１６１】
（付記３）
自装置の待機時の電力消費を節減する省電力モード時に通電され省電力モードからそれ以外のモードとしての通常モードに復帰する契機となる要復帰通知を電気的に受信する要復帰通知受信手段と、この要復帰通知受信手段が要復帰通知を受信したとき特定の機器に電力を供給する電力供給手段とを備えた監視部と、
この監視部を除いた装置部分から構成され、前記電力供給手段から電力の供給を受ける電力受信手段と、この電力受信手段の受信した電力を用いて前記監視部を除いた装置部分を通常モードに復帰する処理を行う通常モード復帰手段とを備えた装置メイン部
とから構成されることを特徴とする電子機器。
【０１６２】
（付記４）
前記装置メイン部は、省電力モードから通常モードに復帰した時点で前記監視部の電源をオフにし、省電力モードに移行するとき前記監視部の電源をオンにする監視部電源制御手段を具備することを特徴とする付記３記載の電子機器。
【０１６３】
（付記５）
自装置の待機時の電力消費を節減する省電力モード時に外部ネットワークと接続してネットワーク側の相手機から自装置に接続された付属装置に対して「ＳＹＮ（Synchronize）」フラグが送られてきたときこれに伴うＴＣＰ（Transmission Control Protocol）コネクションを確立するためのＴＣＰ３ウェイハンドシェークをこの付属装置に代行して行う省電力モード時ハンドシェーク手段と、
この省電力モード時ハンドシェーク手段によるＴＣＰ３ウェイハンドシェークが完了する前の段階で自装置および前記付属装置全体を省電力モード以外のモードとしての通常モードに復帰させる処理を開始させる通常モード復帰開始手段と、
この通常モード復帰開始手段によって前記自装置および前記付属装置全体が通常モードに復帰する前に前記省電力モード時ハンドシェーク手段によるＴＣＰ３ウェイハンドシェークが完了したら前記相手機に対してデータの受信のためのウィンドウサイズがゼロであることを通知するウィンドウサイズゼロ通知手段と、
このウィンドウサイズゼロ通知手段がウィンドウサイズのゼロを通知した後、前記自装置および前記付属装置全体が通常モードに復帰したら前記相手機に対してウィンドウサイズをゼロ以外の値に変更して通知し前記相手機からのデータの受信を可能にするウィンドウサイズゼロ以外通知手段
とを具備することを特徴とする電子機器システム。
【０１６４】
（付記６）
電子機器の待機時の電力消費を節減する省電力モード時にこの電子機器と接続したネットワーク側の相手機から「ＳＹＮ（Synchronize）」フラグが送られてきたときこれに伴うＴＣＰ（Transmission Control Protocol）コネクションを確立するためのＴＣＰ３ウェイハンドシェークを行う省電力モード時ハンドシェークステップと、
この省電力モード時ハンドシェークステップによるＴＣＰ３ウェイハンドシェークが完了する前の段階で前記電子機器全体を省電力モード以外のモードとしての通常モードに復帰させる処理を開始させる通常モード復帰開始ステップと、
この通常モード復帰開始ステップによって前記電子機器全体が通常モードに復帰する前に前記省電力モード時ハンドシェークステップによるＴＣＰ３ウェイハンドシェークが完了したら前記相手機に対してデータの受信のためのウィンドウサイズがゼロであることを通知するウィンドウサイズゼロ通知ステップと、
このウィンドウサイズゼロ通知ステップでウィンドウサイズがゼロであることを通知した後、前記電子機器全体が通常モードに復帰したら前記相手機に対してウィンドウサイズをゼロ以外の値に変更して通知し前記相手機からのデータの受信を可能にするウィンドウサイズゼロ以外通知ステップ
とを具備することを特徴とする電子機器の省電力方法。
【０１６５】
（付記７）
電子機器の待機時の電力消費を節減する省電力モード時にこの電子機器と接続したネットワーク側の相手機からこの電子機器に接続された付属装置に対して「ＳＹＮ（Synchronize）」フラグが送られてきたときこれに伴うＴＣＰ（Transmission Control Protocol）コネクションを確立するためのＴＣＰ３ウェイハンドシェークをこの付属装置に代行して行う省電力モード時ハンドシェークステップと、
この省電力モード時ハンドシェークステップによるＴＣＰ３ウェイハンドシェークが完了する前の段階で前記電子機器および前記付属装置全体を省電力モード以外のモードとしての通常モードに復帰させる処理を開始させる通常モード復帰開始ステップと、
この通常モード復帰開始ステップによって前記電子機器および前記付属装置全体が通常モードに復帰する前に前記省電力モード時ハンドシェークステップによるＴＣＰ３ウェイハンドシェークが完了したら前記相手機に対してデータの受信のためのウィンドウサイズがゼロであることを通知するウィンドウサイズゼロ通知ステップと、
このウィンドウサイズゼロ通知ステップでウィンドウサイズがゼロであることを通知した後、前記電子機器および前記付属装置全体が通常モードに復帰したら前記相手機に対してウィンドウサイズをゼロ以外の値に変更して通知し前記相手機からのデータの受信を可能にするウィンドウサイズゼロ以外通知ステップ
とを具備することを特徴とする電子機器システムの省電力方法。
【０１６６】
（付記８）
コンピュータに、
電子機器の待機時の電力消費を節減する省電力モード時にこの電子機器と接続したネットワーク側の相手機から「ＳＹＮ（Synchronize）」フラグが送られてきたときこれに伴うＴＣＰ（Transmission Control Protocol）コネクションを確立するためのＴＣＰ３ウェイハンドシェークを行う省電力モード時ハンドシェーク処理と、
この省電力モード時ハンドシェーク処理によるＴＣＰ３ウェイハンドシェークが完了する前の段階で前記電子機器全体を省電力モード以外のモードとしての通常モードに復帰させる処理を開始させる通常モード復帰開始処理と、
この通常モード復帰開始処理によって前記電子機器全体が通常モードに復帰する前に前記省電力モード時ハンドシェーク処理によるＴＣＰ３ウェイハンドシェークが完了したら前記相手機に対してデータの受信のためのウィンドウサイズがゼロであることを通知するウィンドウサイズゼロ通知処理と、
このウィンドウサイズゼロ通知処理でウィンドウサイズがゼロであることを通知した後、前記電子機器全体が通常モードに復帰したら前記相手機に対してウィンドウサイズをゼロ以外の値に変更して通知し前記相手機からのデータの受信を可能にするウィンドウサイズゼロ以外通知処理
とを実行させることを特徴とする電子機器の省電力プログラム。
【０１６７】
（付記９）
コンピュータに、
電子機器の待機時の電力消費を節減する省電力モード時にこの電子機器と接続したネットワーク側の相手機からこの電子機器に接続された付属装置に対して「ＳＹＮ（Synchronize）」フラグが送られてきたときこれに伴うＴＣＰ（Transmission Control Protocol）コネクションを確立するためのＴＣＰ３ウェイハンドシェークをこの付属装置に代行して行う省電力モード時ハンドシェーク処理と、
この省電力モード時ハンドシェーク処理によるＴＣＰ３ウェイハンドシェークが完了する前の段階で前記電子機器および前記付属装置全体を省電力モード以外のモードとしての通常モードに復帰させる処理を開始させる通常モード復帰開始処理と、
この通常モード復帰開始処理によって前記電子機器および前記付属装置全体が通常モードに復帰する前に前記省電力モード時ハンドシェーク処理によるＴＣＰ３ウェイハンドシェークが完了したら前記相手機に対してデータの受信のためのウィンドウサイズがゼロであることを通知するウィンドウサイズゼロ通知処理と、
このウィンドウサイズゼロ通知処理でウィンドウサイズがゼロであることを通知した後、前記電子機器および前記付属装置全体が通常モードに復帰したら前記相手機に対してウィンドウサイズをゼロ以外の値に変更して通知し前記相手機からのデータの受信を可能にするウィンドウサイズゼロ以外通知処理
とを実行させることを特徴とする電子機器システムの省電力プログラム。
【符号の説明】
【０１６８】
１０、２０  電子機器
１１、３１  省電力モード時ハンドシェーク手段
１２、３２  通常モード復帰開始手段
１３、３３  ウィンドウサイズゼロ通知手段
１４、３４  ウィンドウサイズゼロ以外通知手段
２１  監視部
２１ａ  要復帰通知受信手段
２１ｂ  電力供給手段
２２  装置メイン部
２２ａ  電力受信手段
２２ｂ  通常モード復帰手段
３０  電子機器システム
４０  電子機器の省電力方法
４１、５１  省電力モード時ハンドシェークステップ
４２、５２  通常モード復帰開始ステップ
４３、５３  ウィンドウサイズゼロ通知ステップ
４４、５４  ウィンドウサイズゼロ以外通知ステップ
５０  電子機器システムの省電力方法
６０  電子機器の省電力プログラム
６１、７１  省電力モード時ハンドシェーク処理
６２、７２  通常モード復帰開始処理
６３、７３  ウィンドウサイズゼロ通知処理
６４、７４  ウィンドウサイズゼロ以外通知処理
７０  電子機器システムの省電力プログラム
１００  通信システム
１０１  送信システム
１０２、１０２Ａ、１０２Ｂ  受信システム
１０３  ネットワーク
１１１  ネットワーク監視システム
１１２、１１２Ｂ  メインシステム
１２１  ネットワーク切替部
１２３  ネットワーク簡易処理部
１２４  監視側主制御部
１２５  監視側電源制御部
１３１、１３１Ａ、１３１Ｂ  ネットワーク処理部
１３３  メイン側電源制御部
１３４、１３４Ａ、１３４Ｂ  メイン側主制御部
１３６  信号線
３０１  付加システム
３０１Ａ  第１の付加システム
３０１Ｂ  第２の付加システム
３０１Ｃ  第３の付加システム
３１１、３１１Ｂ  ルーティング処理部
【図１】
2011164893.tif 000003
【図２】
2011164893.tif 000004
【図３】
2011164893.tif 000005
【図４】
2011164893.tif 000006
【図５】
2011164893.tif 000007
【図６】
2011164893.tif 000008
【図７】
2011164893.tif 000009
【図８】
2011164893.tif 000010
【図９】
2011164893.tif 000011
【図１０】
2011164893.tif 000012
【図１１】
2011164893.tif 000013
【図１２】
2011164893.tif 000014
【図１３】
2011164893.tif 000015
【図１４】
2011164893.tif 000016
【図１５】
2011164893.tif 000017
【図１６】
2011164893.tif 000018
【図１７】
2011164893.tif 000019